(57)【特許請求の範囲】
【請求項１】
住宅におけるエネルギー消費量の計測を行う複数の機器からの同じ計測対象についての計測情報として、同じ計測対象物についての同じ種類の電気的な物理量を取得する取得部と、
予め設定された対象期間が満了したことに応答して、前記対象期間において前記取得部によって取得された複数の前記計測情報の中から送信対象の計測情報を選択する選択部と、
前記選択部によって選択された送信対象の前記計測情報を、エネルギー管理を行う他の装置に送信する送信部とを備え、
前記選択部は、前記対象期間において取得された複数の前記計測情報のそれぞれに付与されている優先度に基づいて送信対象の候補となる候補計測情報を特定し、特定した前記候補計測情報のうちの最新の計測情報を、送信対象の前記計測情報として選択する、計測情報処理装置。
【請求項２】
同じ前記機器から前記計測情報が定期または不定期に送信され、
前記選択部は、前記対象期間において前記計測情報処理装置によって受信された各前記機器の前記計測情報の中から送信対象の前記計測情報を選択する、請求項１に記載の計測情報処理装置。
【請求項３】
前記取得部によって取得された前記複数の計測情報は、第１の優先度が付与された第１計測情報、および前記第１の優先度より低い第２の優先度が付与された第２計測情報を含み、
前記選択部は、前記対象期間において取得された複数の前記計測情報に前記第１計測情報が含まれるか否かに応じて、前記第１計測情報を前記候補計測情報として特定する処理と、前記第２計測情報を前記候補計測情報として特定する処理とを選択的に実行する、請求項１または請求項２に記載の計測情報処理装置。
【請求項４】
前記選択部はさらに、前記第２計測情報を前記候補計測情報として特定したことに応答して、前記第２計測情報に対して、前記他の装置において前記第１計測情報として処理可能となるような補正を行う、請求項３に記載の計測情報処理装置。
【請求項５】
前記選択部は、前記複数の機器から同じ時期に送信された各前記計測情報間の関係に基づいて前記補正を行う、請求項４に記載の計測情報処理装置。
【請求項６】
前記計測情報は、計測値の積算値を含む、請求項４または請求項５に記載の計測情報処理装置。
【請求項７】
前記計測情報は、前記機器の識別情報および前記計測対象の識別情報を含む、請求項１から請求項６のいずれか１項に記載の計測情報処理装置。
【請求項８】
前記送信部は、所定条件を満たす場合、前記計測情報処理装置において受信された複数の前記計測情報をすべて前記他の装置に送信する、請求項１から請求項７のいずれか１項に記載の計測情報処理装置。
【請求項９】
計測情報処理装置において用いられる計測情報処理プログラムであって、
コンピュータに、
住宅におけるエネルギー消費量の計測を行う複数の機器からの同じ計測対象についての計測情報として、同じ計測対象物についての同じ種類の電気的な物理量を取得するステップと、
予め設定された対象期間が満了したことに応答して、前記対象期間において取得された複数の前記計測情報の中から送信対象の計測情報を選択するステップと、
選択した送信対象の前記計測情報を、エネルギー管理を行う他の装置に送信するステップとを実行させるためのプログラムであり、
前記選択するステップにおいては、前記対象期間において取得された複数の前記計測情報のそれぞれに付与されている優先度に基づいて送信対象の候補となる候補計測情報を特定し、特定した前記候補計測情報のうちの最新の計測情報を、送信対象の前記計測情報として選択する、計測情報処理プログラム。
【発明の詳細な説明】
【技術分野】
【０００１】
本発明は、計測情報処理装置、管理装置、計測情報処理システムおよび計測情報処理プログラムに関し、特に、機器からの計測情報を処理する計測情報処理装置、管理装置、計測情報処理システムおよび計測情報処理プログラムに関する。
【背景技術】
【０００２】
たとえば、一般家庭における省エネおよびピーク対策の実現のため、効率的なエネルギー管理を行うための技術が求められている。その手段として、多数のＨＥＭＳ(Ｈｏｍｅ  Ｅｎｅｒｇｙ  Ｍａｎａｇｅｍｅｎｔ  Ｓｙｓｔｅｍ)をサーバにより一元的に管理する手法が注目されている。
【０００３】
たとえば、特開２０１３−１６２２１９号公報（特許文献１）には、以下のような通信システムが開示されている。すなわち、通信システムにおいて、第１の通信装置は、ＨＴＴＰに従い、所定情報を定期的に送信する。第２の通信装置は、上記所定情報を受信し、受信した所定情報に対する応答情報をＨＴＴＰに従って作成する。第２の通信装置は、応答情報に、第１の通信装置の所定情報の送信動作を制御するための制御情報を含めて送信する。そして、第１の通信装置は、応答情報を受信し、受信した応答情報に含まれる制御情報に基づいて、所定情報の送信動作を調整する。
【先行技術文献】
【特許文献】
【０００４】
【特許文献１】特開２０１３−１６２２１９号公報
【発明の概要】
【発明が解決しようとする課題】
【０００５】
たとえば、サーバの管理対象であるＨＥＭＳは、家庭に設けられた複数の機器から電力等の計測結果を示す計測情報を受信し、受信した計測情報を当該サーバへ送信する。サーバは、ＨＥＭＳから受信する計測情報に基づいて、たとえば当該家庭におけるエネルギー管理を行う。
【０００６】
ここで、サーバは、異なる機器により計測された同じ計測対象についての計測結果を示す計測情報をＨＥＭＳから受信することがある。このような場合、サーバでは、計測情報を用いてエネルギー管理を正しく行うことが困難である。
【０００７】
この発明は、上述の課題を解決するためになされたもので、その目的は、計測情報を正しく処理することにより、エネルギー管理を良好に行うことが可能な計測情報処理装置、管理装置、計測情報処理システムおよび計測情報処理プログラムを提供することである。
【課題を解決するための手段】
【０００８】
（１）上記課題を解決するために、この発明のある局面に係わる計測情報処理装置は、計測を行うことが可能な複数の機器からの同じ計測対象についての計測情報を取得する取得部と、前記取得部によって取得された複数の前記計測情報の中から計測情報を所定の条件により選択する選択部と、前記選択部によって選択された前記計測情報を他の装置に送信する送信部とを備える。
【０００９】
（１１）上記課題を解決するために、この発明のある局面に係わる管理装置は、計測を行うことが可能な複数の機器から取得された計測情報、および前記計測情報の識別情報と前記計測情報の計測対象との対応関係を示す対応情報を取得する取得部と、前記取得部によって取得された前記対応情報に基づいて、前記取得部によって取得された各前記計測情報を計測対象で分類する分類部と、前記分類部によって同じ計測対象であると判断された複数の前記計測情報の中から計測情報を所定の条件により選択する選択部と、前記選択部によって選択された前記計測情報を処理する処理部とを備える。
【００１０】
（１２）上記課題を解決するために、この発明のある局面に係わる計測情報処理システムは、計測を行うことが可能な複数の機器からの同じ計測対象についての計測情報を取得する計測情報処理装置と、管理装置とを備え、前記計測情報処理装置は、取得した前記計測情報、および前記計測情報の識別情報と前記計測情報の計測対象との対応関係を示す対応情報を前記管理装置へ送信し、前記管理装置は、複数の前記計測情報および前記対応情報を前記計測情報処理装置から受信して、受信した前記対応情報に基づいて、受信した各前記計測情報を計測対象で分類し、前記管理装置は、同じ計測対象であると判断した複数の前記計測情報の中から計測情報を所定の条件により選択する。
【００１１】
（１３）上記課題を解決するために、この発明のある局面に係わる計測情報処理プログラムは、計測情報処理装置において用いられる計測情報処理プログラムであって、コンピュータに、計測を行うことが可能な複数の機器からの同じ計測対象についての計測情報を取得するステップと、取得した複数の前記計測情報の中から計測情報を所定の条件により選択するステップと、選択した前記計測情報を他の装置に送信するステップとを実行させるためのプログラムである。
【００１２】
（１４）上記課題を解決するために、この発明の他の局面に係わる計測情報処理プログラムは、管理装置において用いられる計測情報処理プログラムであって、コンピュータに、計測を行うことが可能な複数の機器から取得された計測情報、および前記計測情報の識別情報と前記計測情報の計測対象との対応関係を示す対応情報を取得するステップと、取得した前記対応情報に基づいて、取得した各前記計測情報を計測対象で分類するステップと、同じ計測対象であると判断した複数の前記計測情報の中から計測情報を所定の条件により選択するステップと、選択した前記計測情報を処理するステップとを実行させるためのプログラムである。
【００１３】
本発明は、このような特徴的な処理部を備える計測情報処理装置、管理装置および計測情報処理システムとして実現できるだけでなく、かかる特徴的な処理をステップとする方法として実現することができる。また、計測情報処理装置、管理装置および計測情報処理システムの一部または全部を実現する半導体集積回路として実現することができる。
【発明の効果】
【００１４】
本発明によれば、計測情報を正しく処理することにより、エネルギー管理を良好に行うことができる。
【図面の簡単な説明】
【００１５】
【図１】図１は、本発明の第１の実施の形態に係る計測情報処理システムの構成を示す図である。
【図２】図２は、本発明の第１の実施の形態に係る計測情報処理システムにおける計測情報処理装置の構成を示す図である。
【図３】図３は、本発明の第１の実施の形態に係る計測情報処理装置におけるテーブル保持部が保持する優先度テーブルの一例を示す図である。
【図４】図４は、本発明の第１の実施の形態に係る計測情報処理装置におけるテーブル保持部が保持する優先度テーブルの他の例を示す図である。
【図５】図５は、本発明の第１の実施の形態に係る計測情報処理装置におけるテーブル保持部が保持する優先度テーブルの他の例を示す図である。
【図６】図６は、本発明の第１の実施の形態に係る計測情報処理装置における表示部が表示する内容変更画面の一例を示す図である。
【図７】図７は、本発明の第１の実施の形態に係る計測情報処理装置におけるテーブル保持部が保持する瞬時値データテーブルの一例を示す図である。
【図８】図８は、本発明の第１の実施の形態に係る計測情報処理装置におけるテーブル保持部が保持する積算値データテーブルの一例を示す図である。
【図９】図９は、本発明の第１の実施の形態に係る計測情報処理システムにおける、補正式の作成処理のシーケンスの一例を示す図である。
【図１０】図１０は、本発明の第１の実施の形態に係る計測情報処理システムにおける、計測情報の選択処理のシーケンスの一例を示す図である。
【図１１】図１１は、本発明の第１の実施の形態に係る計測情報処理システムにおける、計測情報の選択処理のシーケンスの一例を示す図である。
【図１２】図１２は、本発明の第２の実施の形態に係る計測情報処理システムの構成を示す図である。
【図１３】図１３は、本発明の第２の実施の形態に係る計測情報処理システムにおける計測情報処理装置の構成を示す図である。
【図１４】図１４は、本発明の第２の実施の形態に係る計測情報処理システムにおける管理装置の構成を示す図である。
【図１５】図１５は、本発明の第２の実施の形態に係る計測情報処理システムにおける、計測情報の選択処理のシーケンスの一例を示す図である。
【図１６】図１６は、本発明の第２の実施の形態に係る計測情報処理システムにおける、計測情報の選択処理のシーケンスの一例を示す図である。
【発明を実施するための形態】
【００１６】
最初に、本発明の実施形態の内容を列記して説明する。
【００１７】
（１）本発明の実施の形態に係る計測情報処理装置は、計測を行うことが可能な複数の機器からの同じ計測対象についての計測情報を取得する取得部と、前記取得部によって取得された複数の前記計測情報の中から計測情報を所定の条件により選択する選択部と、前記選択部によって選択された前記計測情報を他の装置に送信する送信部とを備える。
【００１８】
このように、複数の機器からの同じ計測対象についての計測情報の中から、所定の条件により計測情報を選択する構成により、たとえば計測対象の重複を排除して計測情報を他の装置へ送信することができる。これにより、他の装置は、異なる機器により計測された同じ計測対象についての計測結果を示す計測情報を受信することを回避することができるので、エネルギー管理を正しく行うことができる。したがって、計測情報を正しく処理することにより、エネルギー管理を良好に行うことができる。
【００１９】
（２）好ましくは、前記取得部によって取得された前記複数の計測情報には、優先度がそれぞれ付与されており、前記所定の条件は、前記優先度に関する条件を含む。
【００２０】
このような構成により、他の装置での処理に適する計測情報に対して高い優先度を設定し、当該計測情報を優先的に他の装置へ送信することができる。
【００２１】
（３）好ましくは、前記所定の条件は、前記計測情報の受信時刻または計測時刻に関する条件を含む。
【００２２】
このような構成により、たとえば他の装置での処理に適する受信時刻または計測時刻の計測情報が選択されるような条件を設定することができるので、他の装置は、当該計測情報に基づいてエネルギー管理をより良好に行うことができる。
【００２３】
（４）好ましくは、同じ前記機器から前記計測情報が定期的または不定期に送信され、前記選択部は、対象期間において前記計測情報処理装置によって受信された各前記機器の前記計測情報の中から前記計測情報を選択する。
【００２４】
このような構成により、たとえば対象期間を他の装置での処理に適する期間に設定することができるので、他の装置は、計測情報処理装置から受信する計測情報に基づいてエネルギー管理をより良好に行うことができる。
【００２５】
（５）より好ましくは、前記取得部によって取得された前記複数の計測情報には、少なくとも、第１計測情報、および前記第１計測情報より優先度の低い第２計測情報が含まれ、前記選択部は、前記対象期間において前記第１計測情報が受信されなかった場合、前記対象期間において受信された前記第２計測情報を選択する。
【００２６】
このような構成により、対象期間において優先度のより高い第１計測情報が計測情報処理装置により受信されなかった場合においても、他の装置は、当該対象期間における第２計測情報をバックアップとして計測情報処理装置から受信することができる。
【００２７】
（６）より好ましくは、前記取得部によって取得された前記複数の計測情報には、少なくとも、第１計測情報、および前記第１計測情報より優先度の低い第２計測情報が含まれ、前記選択部は、前記対象期間において前記第１計測情報が受信されなかった場合、前記対象期間において受信された前記第２計測情報が前記第１計測情報として処理可能となるような補正を行い、前記補正が行われた後の前記第２計測情報を選択する。
【００２８】
このような構成により、他の装置がバックアップとして受信する計測情報の有用性を高めることができる。
【００２９】
（７）より好ましくは、前記選択部は、前記複数の機器から同じ時期に送信された各前記計測情報間の関係に基づいて前記補正を行う。
【００３０】
このように、同じ計測対象を同じ時期に計測した結果を示す各計測情報間の関係に基づいて補正を行う構成により、補正の精度を高めることができるので、第２計測情報の示す計測結果を、優先度のより高い第１計測情報の示す計測結果により近づけることができる。
【００３１】
（８）より好ましくは、前記計測情報は、計測値の積算値を含む。
【００３２】
このような構成により、たとえば複数の機器における計測値の積算の起算タイミングが異なるために機器間で積算値が大きく異なる場合においても、積算値の補正を行うことで、他の装置がバックアップとして受信する計測情報の有用性をより高めることができる。
【００３３】
（９）好ましくは、前記計測情報は、前記機器の識別情報および前記計測対象の識別情報を含む。
【００３４】
このような構成により、計測情報を処理する装置において、当該計測情報の元となる計測を行った機器、および計測対象の内容を容易に認識することができる。
【００３５】
（１０）好ましくは、前記送信部は、所定条件を満たす場合、前記計測情報処理装置において受信された複数の前記計測情報をすべて前記他の装置に送信する。
【００３６】
このような構成により、他の装置は、計測情報を送信する各機器の稼働状況を容易に確認することができる。
【００３７】
（１１）本発明の実施の形態に係る管理装置は、計測を行うことが可能な複数の機器から取得された計測情報、および前記計測情報の識別情報と前記計測情報の計測対象との対応関係を示す対応情報を取得する取得部と、前記取得部によって取得された前記対応情報に基づいて、前記取得部によって取得された各前記計測情報を計測対象で分類する分類部と、前記分類部によって同じ計測対象であると判断された複数の前記計測情報の中から計測情報を所定の条件により選択する選択部と、前記選択部によって選択された前記計測情報を処理する処理部とを備える。
【００３８】
このように、複数の機器から取得された計測情報のうち、同じ計測対象であると判断した各計測情報の中から、所定の条件により計測情報を選択する構成により、管理装置は、異なる機器により計測された同じ計測対象についての計測結果を示す計測情報を計測情報処理装置から受信する場合においても、たとえば計測対象の重複が排除されるように計測情報を選択することができる。これにより、管理装置は、異なる機器により計測された同じ計測対象についての計測結果を示す計測情報を処理することを回避することができるので、エネルギー管理を正しく行うことができる。したがって、計測情報を正しく処理することにより、エネルギー管理を良好に行うことができる。
【００３９】
（１２）本発明の実施の形態に係る計測情報処理システムは、計測を行うことが可能な複数の機器からの同じ計測対象についての計測情報を取得する計測情報処理装置と、管理装置とを備え、前記計測情報処理装置は、取得した前記計測情報、および前記計測情報の識別情報と前記計測情報の計測対象との対応関係を示す対応情報を前記管理装置へ送信し、前記管理装置は、複数の前記計測情報および前記対応情報を前記計測情報処理装置から受信して、受信した前記対応情報に基づいて、受信した各前記計測情報を計測対象で分類し、前記管理装置は、同じ計測対象であると判断した複数の前記計測情報の中から計測情報を所定の条件により選択する。
【００４０】
このように、複数の機器からの計測情報のうち、同じ計測対象であると判断した各計測情報の中から、所定の条件により計測情報を選択する構成により、管理装置は、異なる機器により計測された同じ計測対象についての計測結果を示す計測情報を計測情報処理装置から受信する場合においても、たとえば計測対象の重複が排除されるように計測情報を選択することができる。これにより、管理装置は、異なる機器により計測された同じ計測対象についての計測結果を示す計測情報を処理することを回避することができるので、エネルギー管理を正しく行うことができる。したがって、計測情報を正しく処理することにより、エネルギー管理を良好に行うことができる。
【００４１】
（１３）本発明の実施の形態に係る計測情報処理プログラムは、計測情報処理装置において用いられる計測情報処理プログラムであって、コンピュータに、計測を行うことが可能な複数の機器からの同じ計測対象についての計測情報を取得するステップと、取得した複数の前記計測情報の中から計測情報を所定の条件により選択するステップと、選択した前記計測情報を他の装置に送信するステップとを実行させるためのプログラムである。
【００４２】
このように、複数の機器からの同じ計測対象についての計測情報の中から、所定の条件により計測情報を選択する構成により、たとえば計測対象の重複を排除して計測情報を他の装置へ送信することができる。これにより、他の装置は、異なる機器により計測された同じ計測対象についての計測結果を示す計測情報を受信することを回避することができるので、エネルギー管理を正しく行うことができる。したがって、計測情報を正しく処理することにより、エネルギー管理を良好に行うことができる。
【００４３】
（１４）本発明の実施の形態に係る計測情報処理プログラムは、管理装置において用いられる計測情報処理プログラムであって、コンピュータに、計測を行うことが可能な複数の機器から取得された計測情報、および前記計測情報の識別情報と前記計測情報の計測対象との対応関係を示す対応情報を取得するステップと、取得した前記対応情報に基づいて、取得した各前記計測情報を計測対象で分類するステップと、同じ計測対象であると判断した複数の前記計測情報の中から計測情報を所定の条件により選択するステップと、選択した前記計測情報を処理するステップとを実行させるためのプログラムである。
【００４４】
このように、複数の機器から取得された計測情報のうち、同じ計測対象であると判断した各計測情報の中から、所定の条件により計測情報を選択する構成により、管理装置は、異なる機器により計測された同じ計測対象についての計測結果を示す計測情報を計測情報処理装置から受信する場合においても、たとえば計測対象の重複が排除されるように計測情報を選択することができる。これにより、管理装置は、異なる機器により計測された同じ計測対象についての計測結果を示す計測情報を処理することを回避することができるので、エネルギー管理を正しく行うことができる。したがって、計測情報を正しく処理することにより、エネルギー管理を良好に行うことができる。
【００４５】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４６】
＜第１の実施の形態＞
［構成および基本動作］
図１は、本発明の第１の実施の形態に係る計測情報処理システムの構成を示す図である。
【００４７】
図１を参照して、計測情報処理システム３０１は、計測情報処理装置１０１と、複数の機器１１１と、サーバ１５１とを備える。複数の機器１１１は、たとえば、スマートメータ１１１Ａ、分電盤１１１Ｂおよびエアコン１１１Ｃを含む。
【００４８】
図１では、３つの機器１１１を代表的に示しているが、さらに多数または少数の機器１１１が設けられてもよい。
【００４９】
機器１１１は、計測情報を取得することが可能である。計測情報処理装置１０１、スマートメータ１１１Ａ、分電盤１１１Ｂおよびエアコン１１１Ｃは、たとえば電力需要施設ＤＦに設置されている。
【００５０】
［スマートメータ］
スマートメータ１１１Ａは、たとえば、系統から電力需要施設ＤＦへの買電方向の電力、言い換えると電力需要施設ＤＦにおいて消費される電力（以下、施設消費電力とも称する。）を計測する。より詳細には、スマートメータ１１１Ａは、たとえば施設消費電力の瞬時値および積算値を計測する。
【００５１】
スマートメータ１１１Ａにより計測された施設消費電力の積算値は、たとえば、電力需要施設ＤＦに対して請求すべき電気料金を算出するために用いられる。
【００５２】
スマートメータ１１１Ａは、たとえば定期的に施設消費電力の瞬時値および積算値を計測する。具体的には、スマートメータ１１１Ａは、たとえば約５分ごとに施設消費電力の瞬時値および積算値を計測する。なお、スマートメータ１１１Ａは、不定期に施設消費電力の瞬時値および積算値を計測してもよい。
【００５３】
機器１１１は、たとえば計測値または計測値の積算値と、当該機器１１１の識別情報と、計測対象の識別情報とを含む計測情報を作成する。計測情報処理システム３０１では、たとえば、同じ機器１１１から計測情報が定期的に送信される。
【００５４】
ここで、計測値は、たとえば施設消費電力の瞬時値である。計測値の積算値は、たとえば施設消費電力の積算値である。機器１１１の識別情報は、たとえば当該機器１１１のＩＤである。計測対象の識別情報は、たとえばクラス名およびプロパティ名である。クラス名およびプロパティ名は、たとえばＥＣＨＯＮＥＴＬｉｔｅ（登録商標）規格により規定される。なお、クラス名は、たとえば機器１１１の種類情報でもある。
【００５５】
具体的には、スマートメータ１１１Ａは、たとえば、定期的な施設消費電力の瞬時値および積算値の計測が完了すると、ＥＣＨＯＮＥＴＬｉｔｅ規格に従って、計測した施設消費電力の瞬時値を含む計測情報ＰＳＭ、および計測した施設消費電力の積算値を含む計測情報ＥＳＭを作成する。
【００５６】
より詳細には、スマートメータ１１１Ａは、たとえば、自己のＩＤ、計測した施設消費電力の瞬時値、クラス名である「低圧スマート電力量メータ」、およびプロパティ名である「瞬時電力計測値」を含む計測情報ＰＳＭを作成する。
【００５７】
また、スマートメータ１１１Ａは、たとえば、自己のＩＤ、計測した施設消費電力の積算値、クラス名である「低圧スマート電力量メータ」、およびプロパティ名である「積算電力量計測値（正方向計測値）」を含む計測情報ＥＳＭを作成する。
【００５８】
スマートメータ１１１Ａは、たとえば、作成した計測情報ＰＳＭおよび計測情報ＥＳＭをＥＣＨＯＮＥＴＬｉｔｅ規格に従ってＬＡＮ１０経由で計測情報処理装置１０１へ定期的に送信する。
【００５９】
また、スマートメータ１１１Ａは、たとえば、計測情報処理装置１０１から受信する瞬時値計測要求に従って、施設消費電力の瞬時値を計測し、計測結果を含む計測情報ＰＳＭをＥＣＨＯＮＥＴＬｉｔｅ規格に従ってＬＡＮ１０経由で計測情報処理装置１０１へ送信することも可能である。
【００６０】
また、スマートメータ１１１Ａは、たとえば、計測情報処理装置１０１から受信する積算値計測要求に従って、施設消費電力の積算値を計測し、計測結果を含む計測情報ＥＳＭをＥＣＨＯＮＥＴＬｉｔｅ規格に従ってＬＡＮ１０経由で計測情報処理装置１０１へ送信することも可能である。
【００６１】
［分電盤］
分電盤１１１Ｂは、たとえば、センサを含み、当該センサを用いて施設消費電力を計測する。より詳細には、分電盤１１１Ｂは、たとえば施設消費電力の瞬時値および積算値を計測する。
【００６２】
分電盤１１１Ｂにより計測された施設消費電力の瞬時値および積算値は、たとえば電力需要施設ＤＦにおける「消費電力の見える化」または節電のための制御等に用いられる。たとえば、分電盤１１１Ｂによる施設消費電力の計測精度は、スマートメータ１１１Ａによる施設消費電力の計測精度と比べて低い。
【００６３】
分電盤１１１Ｂは、たとえば定期的に施設消費電力の瞬時値および積算値を計測する。具体的には、分電盤１１１Ｂは、たとえば約２０分ごとに施設消費電力の瞬時値および積算値を計測する。なお、分電盤１１１Ｂは、不定期に施設消費電力の瞬時値および積算値を計測してもよい。
【００６４】
分電盤１１１Ｂは、たとえば、定期的な施設消費電力の瞬時値および積算値の計測が完了すると、ＥＣＨＯＮＥＴＬｉｔｅ規格に従って、計測した施設消費電力の瞬時値を含む計測情報ＰＣＢ、および計測した施設消費電力の積算値を含む計測情報ＥＣＢを作成する。
【００６５】
より詳細には、分電盤１１１Ｂは、たとえば、自己のＩＤ、計測した施設消費電力の瞬時値、クラス名である「分電盤メータリング」、およびプロパティ名である「瞬時電力計測値」を含む計測情報ＰＣＢを作成する。
【００６６】
また、分電盤１１１Ｂは、たとえば、自己のＩＤ、計測した施設消費電力の積算値、クラス名である「分電盤メータリング」、およびプロパティ名である「積算電力量計測値（正方向）」を含む計測情報ＥＣＢを作成する。
【００６７】
分電盤１１１Ｂは、たとえば、作成した計測情報ＰＣＢおよび計測情報ＥＣＢをＥＣＨＯＮＥＴＬｉｔｅ規格に従ってＬＡＮ１０経由で計測情報処理装置１０１へ定期的に送信する。
【００６８】
また、分電盤１１１Ｂは、たとえば、計測情報処理装置１０１から受信する瞬時値計測要求に従って、施設消費電力の瞬時値を計測し、計測結果を含む計測情報ＰＣＢをＥＣＨＯＮＥＴＬｉｔｅ規格に従ってＬＡＮ１０経由で計測情報処理装置１０１へ送信することも可能である。
【００６９】
また、分電盤１１１Ｂは、たとえば、計測情報処理装置１０１から受信する積算値計測要求に従って、施設消費電力の積算値を計測し、計測結果を含む計測情報ＥＣＢをＥＣＨＯＮＥＴＬｉｔｅ規格に従ってＬＡＮ１０経由で計測情報処理装置１０１へ送信することも可能である。
【００７０】
［エアコン］
エアコン１１１Ｃは、たとえば、センサを含み、当該センサを用いて自己の消費電流を計測する。
【００７１】
エアコン１１１Ｃにより計測された消費電流は、たとえば電力需要施設ＤＦにおける「消費電力の見える化」または節電のための制御等に用いられる。
【００７２】
エアコン１１１Ｃは、たとえば定期的に消費電流を計測する。なお、エアコン１１１Ｃは、不定期に消費電流を計測してもよい。
【００７３】
エアコン１１１Ｃは、定期的な消費電流の計測が完了すると、ＥＣＨＯＮＥＴＬｉｔｅ規格に従って、計測した消費電流を含む計測情報ＩＡＣを作成する。
【００７４】
より詳細には、エアコン１１１Ｃは、たとえば、自己のＩＤ、計測した消費電流、クラス名である「家庭用エアコン」、およびプロパティ名である「消費電流計測値」を含む計測情報ＩＡＣを作成する。
【００７５】
分電盤１１１Ｂは、たとえば、作成した計測情報ＩＡＣをＥＣＨＯＮＥＴＬｉｔｅ規格に従ってＬＡＮ１０経由で計測情報処理装置１０１へ定期的に送信する。
【００７６】
計測情報処理装置１０１は、たとえばＨＥＭＳ−ＧＷ（ＨＥＭＳ−Ｇａｔｅ  Ｗａｙ）であり、スマートメータ１１１Ａ、分電盤１１１Ｂおよびエアコン１１１Ｃからそれぞれ計測情報ＰＳＭ，ＥＳＭ、計測情報ＰＣＢ，ＥＣＢおよび計測情報ＩＡＣを受信すると、受信した計測情報ＰＳＭ，ＥＳＭ、計測情報ＰＣＢ，ＥＣＢおよび計測情報ＩＡＣを処理する。
【００７７】
計測情報処理装置１０１は、処理後の計測情報をインターネット１１経由でサーバ１５１へ送信する。
【００７８】
［計測情報処理装置の構成］
図２は、本発明の第１の実施の形態に係る計測情報処理システムにおける計測情報処理装置の構成を示す図である。
【００７９】
図２を参照して、計測情報処理装置１０１は、受信部２１と、送信部２２と、選択部２３と、取得部２４と、蓄積部２５と、内容変更部２６と、受付部２７と、カウンタ２８と、テーブル保持部２９と、表示部３０とを備える。
【００８０】
カウンタ２８は、たとえば、水晶振動子を用いた発振回路等により生成されるクロックパルスをカウントし、カウントした値を保持する。カウンタ２８のカウント値は、たとえば計測情報処理装置１０１による計測情報の受信時刻の計測に用いられる。
【００８１】
受信部２１は、たとえば複数の機器１１１から計測情報を受信する。より詳細には、受信部２１は、たとえば、ＬＡＮ１０経由で機器１１１から計測情報を受信すると、受信した計測情報に当該計測情報の受信時刻を含めた後、計測情報を蓄積部２５に蓄積する。
【００８２】
具体的には、受信部２１は、たとえば、ＬＡＮ１０経由でスマートメータ１１１Ａから計測情報ＥＳＭを受信すると、計測情報ＥＳＭの受信時刻としてカウンタ２８からカウント値を取得する。
【００８３】
受信部２１は、受信した計測情報ＥＳＭに、取得した計測情報ＥＳＭの受信時刻を含めた後、計測情報ＥＳＭを蓄積部２５に蓄積する。受信部２１は、計測情報ＥＳＭ以外の計測情報についても計測情報ＥＳＭと同様に処理する。
【００８４】
［優先度テーブル］
図３は、本発明の第１の実施の形態に係る計測情報処理装置におけるテーブル保持部が保持する優先度テーブルの一例を示す図である。図４は、本発明の第１の実施の形態に係る計測情報処理装置におけるテーブル保持部が保持する優先度テーブルの他の例を示す図である。図５は、本発明の第１の実施の形態に係る計測情報処理装置におけるテーブル保持部が保持する優先度テーブルの他の例を示す図である。
【００８５】
図３〜図５を参照して、テーブル保持部２９は、たとえば、計測情報の識別情報と当該計測情報における計測対象との対応関係を示す対応情報を保持する。具体的には、テーブル保持部２９は、たとえば、計測情報の識別情報であるクラス名およびプロパティ名と当該計測情報における計測対象との対応関係を示す優先度テーブルを対応情報として保持する。
【００８６】
優先度テーブルは、たとえば、機器１１１から受信する各計測情報の中からサーバ１５１に送信すべき計測情報を特定するために用いられる。
【００８７】
テーブル保持部２９は、たとえば、計測対象ごとの優先度テーブルを保持する。計測対象ごとの優先度テーブルは、自動で作成されてもよいし、機器１１１を設置した施工業者等のユーザにより入力されてもよい。
【００８８】
ここで、計測対象は、たとえば、電力需要施設ＤＦ全体、または当該電力需要施設ＤＦに設けられた各家電において計測可能かつ電気的な物理量、具体的には電流、電圧、電荷、電力および電力量等である。具体的には、計測対象は、たとえば、電力需要施設ＤＦ全体の消費電力すなわち施設消費電力である「主幹電力（買電方向）瞬時値」、電力需要施設ＤＦ全体の消費電力量すなわち施設消費電力量である「主幹電力量（買電方向）積算値」、およびエアコン１１１Ｃの消費電流である「エアコン消費電流」である。また、計測対象の計測結果は、たとえばサーバ１５１へ送信すべき計測結果である。
【００８９】
テーブル保持部２９は、たとえば、計測対象すなわち「主幹電力（買電方向）瞬時値」、「主幹電力量（買電方向）積算値」および「エアコン消費電流」にそれぞれ対応する優先度テーブルＣｔｂｌ１、Ｃｔｂｌ２およびＣｔｂｌ３を保持する。
【００９０】
優先度テーブルには、計測を行って対応の計測対象についての計測値を送信する１または複数の機器１１１すなわち送信機器のＩＤが含まれる。
【００９１】
たとえば、優先度テーブルＣｔｂｌ１には、「主幹電力（買電方向）瞬時値」すなわち施設消費電力の瞬時値を計測して送信する送信機器のＩＤとして、スマートメータ１１１ＡのＩＤおよび分電盤１１１ＢのＩＤが含まれる。
【００９２】
また、たとえば、優先度テーブルＣｔｂｌ２には、「主幹電力量（買電方向）積算値」すなわち施設消費電力の積算値を計測して送信する送信機器のＩＤとして、スマートメータ１１１ＡのＩＤおよび分電盤１１１ＢのＩＤが含まれる。
【００９３】
また、たとえば、優先度テーブルＣｔｂｌ３には、「エアコン消費電流」すなわちエアコンの消費電流を計測して送信する送信機器のＩＤとして、エアコン１１１ＣのＩＤが含まれる。
【００９４】
たとえば、複数の計測情報には優先度がそれぞれ付与されている。具体的には、各優先度テーブルにおいて、送信機器のＩＤごとにクラス名およびプロパティ名が設定されている。また、クラス名およびプロパティ名の組ごと、すなわち計測情報の識別情報ごとに優先度が設定されている。
【００９５】
優先度は、たとえば計測情報の送信元である送信機器の計測精度に応じて設定される。具体的には、たとえば、スマートメータ１１１Ａによる施設消費電力の瞬時値および積算値の計測精度は、分電盤１１１Ｂによる施設消費電力の瞬時値および積算値の計測精度と比べて高い。このため、送信元がスマートメータ１１１Ａである計測情報の優先度は、送信元が分電盤１１１Ｂである計測情報の優先度より高く設定されている。
【００９６】
また、優先度は、送信元となる送信機器のＩＤごとに、重複することなく設定されている。なお、優先度は、送信元となる送信機器のＩＤごとに重複して設定されてもよい。
【００９７】
［優先度テーブルの内容の変更］
ユーザは、たとえば、優先度テーブルにおける優先度を変更することが可能である。以下、ユーザが、優先度テーブルＣｔｂｌ１の優先度を変更する際の手順について説明するが、優先度テーブルＣｔｂｌ２，Ｃｔｂｌ３の優先度の変更手順についても同様である。
【００９８】
たとえば、ユーザは、優先度テーブルＣｔｂｌ１の内容を変更しようとする場合、優先度テーブルＣｔｂｌ１についての内容変更画面を表示部３０に表示させるための操作を受付部２７に対して行う。
【００９９】
受付部２７は、たとえばユーザの操作を受け付け、受け付けた内容を示す操作情報を内容変更部２６へ出力する。
【０１００】
図６は、本発明の第１の実施の形態に係る計測情報処理装置における表示部が表示する内容変更画面の一例を示す図である。
【０１０１】
図６を参照して、内容変更部２６は、たとえば、受付部２７から操作情報を受けると、受けた操作情報に基づいて、優先度テーブルＣｔｂｌ１の内容をテーブル保持部２９から取得し、取得した優先度テーブルＣｔｂｌ１の内容を用いて、図６に示す内容変更画面Ｓｃ１を表示部３０に表示させる制御を行う。
【０１０２】
内容変更画面Ｓｃ１は、たとえば優先度テーブルＣｔｂｌ１における送信機器を送信元とする計測情報の優先度の変更、ならびに計測情報の送信元となる送信機器の追加および削除を行うための画面である。内容変更画面Ｓｃ１には、たとえば優先度テーブルＣｔｂｌ１が含まれる。
【０１０３】
ユーザは、たとえば、マウス等のポインティングデバイスを用いてチェックボックスＣＢをチェックすることにより、チェックした項目（以下、チェック項目とも称する。）、具体的には分電盤１１１ＢのＩＤ、クラス名として分電盤メータリング、およびプロパティ名として瞬時電力計測値を含む項目に対して、優先度の変更、および優先度テーブルＣｔｂｌ１からの削除の少なくともいずれか一方を行うことが可能である。
【０１０４】
より詳細には、ユーザは、たとえば、ポインティングデバイスを用いてボタンＢｕ１をクリックすることにより、チェック項目の優先度を１つ繰り上げることが可能である。また、ユーザは、たとえば、ポインティングデバイスを用いてボタンＢｄ１をクリックすることにより、チェック項目の優先度を１つ繰り下げることが可能である。
【０１０５】
また、ユーザは、たとえば、ポインティングデバイスを用いてボタンＢｕ２をクリックすることにより、チェック項目の優先度を最上位に設定することが可能である。また、ユーザは、たとえば、ポインティングデバイスを用いてボタンＢｄ２をクリックすることにより、チェック項目の優先度を最下位に設定することが可能である。
【０１０６】
また、ユーザは、たとえば、ポインティングデバイスを用いてボタンＢｄｅｌをクリックすることにより、チェック項目を優先度テーブルＴｂｌ１から削除することが可能である。
【０１０７】
また、ユーザは、たとえば、ポインティングデバイスを用いてボタンＢａｄｄをクリックすることにより、新たな項目を優先度テーブルＴｂｌ１に追加することが可能である。
【０１０８】
受付部２７は、たとえばユーザによるポインティングデバイスの操作を受け付け、受け付けた内容を示す操作情報を内容変更部２６へ出力する。
【０１０９】
内容変更部２６は、たとえば、受付部２７から操作情報を受けると、受けた操作情報に基づいて、優先度テーブルＣｔｂｌ１におけるチェック項目の優先度を変更した画面を表示部３０に表示させる制御を行ったり、チェック項目を優先度テーブルＣｔｂｌ１から削除した画面を表示部３０に表示させる制御を行ったり、新たな項目を優先度テーブルＣｔｂｌ１に追加した画面を表示部３０に表示させる制御を行ったりする。
【０１１０】
ユーザは、たとえば、優先度テーブルＣｔｂｌ１の内容の変更が完了すると、ポインティングデバイスを用いてボタンＢｅをクリックする。
【０１１１】
受付部２７は、たとえばユーザによるポインティングデバイスの操作を受け付け、受け付けた内容を示す操作情報を内容変更部２６へ出力する。
【０１１２】
内容変更部２６は、たとえば、受付部２７から操作情報を受けると、受けた操作情報に基づいて、テーブル保持部２９に保持されている優先度テーブルＣｔｂｌ１に変更内容を反映させる。
【０１１３】
［瞬時値データテーブル］
図７は、本発明の第１の実施の形態に係る計測情報処理装置におけるテーブル保持部が保持する瞬時値データテーブルの一例を示す図である。
【０１１４】
図２および図７を参照して、テーブル保持部２９は、たとえば「主幹電力（買電方向）瞬時値」の計測対象に対応する瞬時値データテーブルＰｔｂｌを保持する。瞬時値データテーブルＰｔｂｌでは、計測情報が優先度ごとにまとめられている。
【０１１５】
より詳細には、瞬時値データテーブルＰｔｂｌでは、たとえば、計測情報ＰＳＭまたはＰＣＢに含まれる施設消費電力の瞬時値すなわち取得値が受信時刻順かつ優先度ごとにまとめられている。また、瞬時値データテーブルＰｔｂｌでは、たとえば、計測情報ＰＳＭまたはＰＣＢに含まれる機器１１１のＩＤすなわち送信機器のＩＤ、クラス名およびプロパティ名が優先度ごとにまとめられている。また、瞬時値データテーブルＰｔｂｌは、たとえば計測対象を含む。
【０１１６】
取得部２４は、計測を行うことが可能な複数の機器１１１からの同じ計測対象についての計測結果を示す計測情報を取得する。より詳細には、取得部２４は、たとえば、テーブル保持部２９が保持している優先度テーブルに基づいて、複数の機器１１１からの同じ計測対象についての計測結果を示す計測情報を取得する。
【０１１７】
具体的には、取得部２４は、たとえば、図３に示す優先度テーブルＣｔｂｌ１に基づいて、スマートメータ１１１Ａまたは分電盤１１１Ｂからの同じ計測対象についての計測結果を示す計測情報を取得する。
【０１１８】
たとえば、取得部２４は、蓄積部２５を監視し、新たに蓄積部２５に蓄積される計測情報がスマートメータ１１１ＡのＩＤ、「低圧スマート電力量メータ」のクラス名および「瞬時電力計測値」のプロパティ名を含む計測情報ＰＳＭである場合、当該計測情報ＰＳＭを取得する。
【０１１９】
そして、取得部２４は、取得した計測情報ＰＳＭに含まれる施設消費電力の瞬時値および受信時刻を瞬時値データテーブルＰｔｂｌにおける「優先度が１の計測情報」の項目に追加する。
【０１２０】
また、たとえば、取得部２４は、蓄積部２５に新たに蓄積される計測情報が分電盤１１１ＢのＩＤ、「分電盤メータリング」のクラス名および「瞬時電力計測値」のプロパティ名を含む計測情報ＰＣＢである場合、当該計測情報ＰＣＢを取得する。
【０１２１】
そして、取得部２４は、取得した計測情報ＰＣＢに含まれる施設消費電力の瞬時値および受信時刻を瞬時値データテーブルＰｔｂｌにおける「優先度が２の計測情報」の項目に追加する。
【０１２２】
［積算値データテーブル］
図８は、本発明の第１の実施の形態に係る計測情報処理装置におけるテーブル保持部が保持する積算値データテーブルの一例を示す図である。
【０１２３】
図２および図８を参照して、テーブル保持部２９は、たとえば「主幹電力量（買電方向）積算値」の計測対象に対応する積算値データテーブルＥｔｂｌを保持する。積算値データテーブルＥｔｂｌでは、計測情報が優先度ごとにまとめられている。
【０１２４】
より詳細には、積算値データテーブルＥｔｂｌでは、たとえば、計測情報ＥＳＭまたはＥＣＢに含まれる施設消費電力の積算値が受信時刻順かつ優先度ごとにまとめられている。また、積算値データテーブルＥｔｂｌでは、たとえば、計測情報ＥＳＭまたはＥＣＢに含まれる機器１１１のＩＤすなわち送信機器のＩＤ、クラス名およびプロパティ名が優先度ごとにまとめられている。また、積算値データテーブルＥｔｂｌは、たとえば計測対象を含む。
【０１２５】
具体的には、取得部２４は、たとえば、図４に示す優先度テーブルＣｔｂｌ２に基づいて、スマートメータ１１１Ａまたは分電盤１１１Ｂからの同じ計測対象についての計測結果を示す計測情報を取得する。
【０１２６】
たとえば、取得部２４は、蓄積部２５を監視し、新たに蓄積部２５に蓄積される計測情報がスマートメータ１１１ＡのＩＤ、「低圧スマート電力量メータ」のクラス名および「積算電力量計測値（正方向計測値）」のプロパティ名を含む計測情報ＥＳＭである場合、当該計測情報ＥＳＭを取得する。
【０１２７】
そして、取得部２４は、取得した計測情報ＥＳＭに含まれる施設消費電力の積算値および受信時刻を積算値データテーブルＥｔｂｌにおける「優先度が１の計測情報」の項目に追加する。
【０１２８】
また、たとえば、取得部２４は、蓄積部２５に新たに蓄積される計測情報が分電盤１１１ＢのＩＤ、「分電盤メータリング」のクラス名および「積算電力量計測値（正方向）」のプロパティ名を含む計測情報ＥＣＢである場合、当該計測情報ＥＣＢを取得する。
【０１２９】
そして、取得部２４は、取得した計測情報ＥＣＢに含まれる施設消費電力の積算値および受信時刻を積算値データテーブルＥｔｂｌにおける「優先度が２の計測情報」の項目に追加する。
【０１３０】
［電流値データテーブル］
テーブル保持部２９は、たとえば「エアコン消費電流」の計測対象に対応する図示しない電流値データテーブルＩｔｂｌを保持する。電流値データテーブルＩｔｂｌでは、たとえば、計測情報ＩＡＣに含まれる消費電流が受信時刻順にまとめられている。また、電流値データテーブルＩｔｂｌは、たとえば、計測対象、ならびに計測情報ＩＡＣに含まれる機器１１１のＩＤすなわち送信機器のＩＤ、クラス名およびプロパティ名を含む。
【０１３１】
具体的には、取得部２４は、たとえば、図５に示す優先度テーブルＣｔｂｌ３に基づいて、エアコン１１１Ｃからの同じ計測対象についての計測結果を示す計測情報を取得する。
【０１３２】
たとえば、取得部２４は、蓄積部２５を監視し、新たに蓄積部２５に蓄積される計測情報がエアコン１１１ＣのＩＤ、「家庭用エアコン」のクラス名および「消費電流計測値」のプロパティ名を含む計測情報ＩＡＣである場合、計測情報ＩＡＣを取得する。
【０１３３】
そして、取得部２４は、取得した計測情報ＩＡＣに含まれる消費電流および受信時刻を電流値データテーブルＩｔｂｌに追加する。
【０１３４】
以下、瞬時値データテーブルＰｔｂｌ、積算値データテーブルＥｔｂｌおよび電流値データテーブルＩｔｂｌの各々を、データテーブルＤｔｂｌとも称する。
【０１３５】
また、取得部２４は、所定時間たとえば４８時間以上前のデータをデータテーブルＤｔｂｌから消去する。
【０１３６】
たとえば、取得部２４は、施設消費電力の瞬時値および受信時刻を瞬時値データテーブルＰｔｂｌに追加する際、当該受信時刻より４８時間以上前に取得された施設消費電力の瞬時値を瞬時値データテーブルＰｔｂｌから消去する。
【０１３７】
再び図２を参照して、選択部２３は、取得部２４によって取得された複数の計測情報の中から対象計測情報を所定の条件Ｃ１により選択する。ここで、条件Ｃ１は、たとえば、優先度に関する条件Ｃ２、および計測情報の受信時刻に関する条件Ｃ３，Ｃ４を含む。
【０１３８】
具体的には、選択部２３は、たとえば、テーブル保持部２９が保持している瞬時値データテーブルＰｔｂｌ、積算値データテーブルＥｔｂｌおよび電流値データテーブルＩｔｂｌの中から、サーバ１５１へ送信すべき対象計測情報ＴＰ、ＴＥおよびＴＩを所定の条件Ｃ１によりそれぞれ選択する。
【０１３９】
たとえば、選択部２３は、対象期間を設定する。ここでは、対象期間は、たとえば毎時０分から始まる３０分間の期間、および毎時３０分から始まる３０分間の期間である。
【０１４０】
具体的には、選択部２３は、たとえば、３月１日の１６：００〜１６：３０までの対象期間Ｔ１、３月１日の１６：３０〜１７：００までの対象期間Ｔ２、３月１日の１７：００〜１７：３０までの対象期間Ｔ３および３月１日の１７：３０〜１８：００までの対象期間Ｔ４を設定する。
【０１４１】
選択部２３は、たとえば、データテーブルＤｔｂｌごとに、対象期間において自己の計測情報処理装置１０１によって受信された各機器１１１の計測情報の中から対象計測情報を条件Ｃ１により選択する。
【０１４２】
［施設消費電力の瞬時値の選択］
選択部２３は、たとえば、条件Ｃ２，Ｃ３を用いて、図７に示す瞬時値データテーブルＰｔｂｌにおける各計測情報の中から選択の候補とすべき候補計測情報を特定する。ここで、条件Ｃ２は、たとえば優先度が１の計測情報であることである。また、条件Ｃ３は、たとえば計測情報の受信時刻が対象期間に含まれることである。
【０１４３】
選択部２３は、たとえば、対象期間Ｔ１〜Ｔ４がそれぞれ満了したタイミングにおいて、条件Ｃ２，Ｃ３を用いて瞬時値データテーブルＰｔｂｌにおける各計測情報から候補計測情報を特定する。
【０１４４】
より詳細には、選択部２３は、たとえば、対象期間Ｔ１が満了したタイミングにおいて、条件Ｃ２，Ｃ３を満たす計測情報として、瞬時値データテーブルＰｔｂｌにおけるデータ番号１〜３に対応する計測情報を対象期間Ｔ１における候補計測情報ＣＰＴ１として特定する。
【０１４５】
選択部２３は、たとえば、条件Ｃ４を用いて、特定した候補計測情報ＣＰＴ１の中から対象計測情報ＴＰを選択する。ここで、条件Ｃ４は、たとえば、候補計測情報のうちの最新の計測情報であることである。
【０１４６】
具体的には、選択部２３は、たとえば、候補計測情報ＣＰＴ１において条件Ｃ４を満たす計測情報であるデータ番号３に対応する計測情報を対象計測情報ＴＰとして選択し、選択した対象計測情報ＴＰを送信部２２へ出力する。ここで、対象計測情報ＴＰには、受信時刻、施設消費電力の瞬時値、機器１１１のＩＤ、クラス名およびプロパティ名が含まれる。
【０１４７】
また、選択部２３は、たとえば、対象期間Ｔ２が満了したタイミングにおいて、条件Ｃ２，Ｃ３を満たす計測情報として、瞬時値データテーブルＰｔｂｌにおけるデータ番号５，６，８に対応する計測情報を対象期間Ｔ２における候補計測情報ＣＰＴ２として特定する。
【０１４８】
そして、選択部２３は、たとえば、候補計測情報ＣＰＴ２において条件Ｃ４を満たす計測情報であるデータ番号８に対応する計測情報を対象計測情報ＴＰとして選択し、選択した対象計測情報ＴＰを送信部２２へ出力する。
【０１４９】
また、選択部２３は、たとえば、対象期間Ｔ３が満了したタイミングにおいて、条件Ｃ２，Ｃ３を満たす計測情報が瞬時値データテーブルＰｔｂｌに含まれていないこと、および条件Ｃ３を満たすが条件Ｃ２を満たさない計測情報が瞬時値データテーブルＰｔｂｌに含まれていることを認識する。
【０１５０】
取得部２４によって取得された複数の計測情報には、計測情報ＰＳＭすなわち第１計測情報ＰＳＭ、および第１計測情報より優先度の低い計測情報ＰＣＢすなわち第２計測情報ＰＣＢが含まれる。
【０１５１】
選択部２３は、たとえば、対象期間において第１計測情報ＰＳＭが受信されなかった場合、当該対象期間において受信された第２計測情報ＰＣＢの中から対象計測情報ＴＰを選択する。
【０１５２】
具体的には、選択部２３は、たとえば、対象期間Ｔ３において優先度が１の計測情報すなわちスマートメータ１１１Ａからの計測情報ＰＳＭが受信されなかった場合、対象期間Ｔ３において受信された優先度が２の計測情報すなわち分電盤１１１Ｂからの計測情報ＰＣＢの中から対象計測情報ＴＰを選択する。
【０１５３】
より詳細には、選択部２３は、たとえば、瞬時値データテーブルＰｔｂｌにおけるデータ番号９，１０に対応する計測情報を対象期間Ｔ３における候補計測情報ＣＰＴ３として特定する。
【０１５４】
そして、選択部２３は、たとえば、候補計測情報ＣＰＴ３において条件Ｃ４を満たす計測情報であるデータ番号１０に対応する計測情報を対象計測情報ＴＰとして選択する。
【０１５５】
選択部２３は、たとえば、対象期間において第１計測情報ＰＳＭが受信されなかった場合、対象期間において受信された第２計測情報ＰＣＢに含まれる計測値が、第１計測情報ＰＳＭに含まれる計測値として他の装置において処理可能となるような補正を行い、当該補正が行われた後の計測値を含む第２計測情報ＰＣＢすなわち対象計測情報ＴＰを選択する。
【０１５６】
具体的には、選択部２３は、たとえば、データ番号１０に対応する対象計測情報ＴＰに含まれる施設消費電力の瞬時値を、優先度の高い、スマートメータ１１１Ａからの計測情報に含まれる施設消費電力の瞬時値としてサーバ１５１において処理可能となるような補正を行う。補正の詳細については後述する。
【０１５７】
選択部２３は、たとえば、補正が行われた後の施設消費電力の瞬時値を含む対象計測情報ＴＰを送信部２２へ出力する。
【０１５８】
また、選択部２３は、たとえば、対象期間Ｔ４が満了したタイミングにおいて、条件Ｃ２，Ｃ３を満たす計測情報として、瞬時値データテーブルＰｔｂｌにおけるデータ番号１１，１３，１４に対応する計測情報を対象期間Ｔ４における候補計測情報ＣＰＴ４として特定する。
【０１５９】
そして、選択部２３は、たとえば、候補計測情報ＣＰＴ４において条件Ｃ４を満たす計測情報であるデータ番号１４に対応する計測情報を対象計測情報ＴＰとして選択し、選択した対象計測情報ＴＰを送信部２２へ出力する。
【０１６０】
［施設消費電力の積算値の選択］
選択部２３は、たとえば、上述の条件Ｃ２，Ｃ３を用いて、図８に示す積算値データテーブルＥｔｂｌにおける各計測情報の中から選択の候補とすべき候補計測情報を特定する。
【０１６１】
選択部２３は、たとえば、対象期間Ｔ１〜Ｔ４がそれぞれ満了したタイミングにおいて、条件Ｃ２，Ｃ３を用いて積算値データテーブルＥｔｂｌにおける各計測情報から候補計測情報を特定する。
【０１６２】
より詳細には、選択部２３は、たとえば、対象期間Ｔ１が満了したタイミングにおいて、条件Ｃ２，Ｃ３を満たす計測情報として、積算値データテーブルＥｔｂｌにおけるデータ番号５１〜５３の計測情報を対象期間Ｔ１における候補計測情報ＣＥＴ１として特定する。
【０１６３】
選択部２３は、たとえば、上述の条件Ｃ４を用いて、特定した候補計測情報ＣＥＴ１の中から対象計測情報ＴＥを選択する。
【０１６４】
具体的には、選択部２３は、たとえば、候補計測情報ＣＥＴ１において条件Ｃ４を満たす計測情報であるデータ番号５３に対応する計測情報を対象計測情報ＴＥとして選択し、選択した対象計測情報ＴＥを送信部２２へ出力する。ここで、対象計測情報ＴＥには、受信時刻、施設消費電力の積算値、機器１１１のＩＤ、クラス名およびプロパティ名が含まれる。
【０１６５】
また、選択部２３は、たとえば、対象期間Ｔ２が満了したタイミングにおいて、条件Ｃ２，Ｃ３を満たす計測情報として、積算値データテーブルＥｔｂｌにおけるデータ番号５５，５６，５８に対応する計測情報を対象期間Ｔ２における候補計測情報ＣＥＴ２として特定する。
【０１６６】
そして、選択部２３は、たとえば、候補計測情報ＣＥＴ２において条件Ｃ４を満たす計測情報であるデータ番号５８に対応する計測情報を対象計測情報ＴＥとして選択し、選択した対象計測情報ＴＥを送信部２２へ出力する。
【０１６７】
また、選択部２３は、たとえば、対象期間Ｔ３が満了したタイミングにおいて、条件Ｃ２，Ｃ３を満たす計測情報が積算値データテーブルＥｔｂｌに含まれていないこと、および条件Ｃ３を満たすが条件Ｃ２を満たさない計測情報が積算値データテーブルＥｔｂｌに含まれていることを認識する。
【０１６８】
取得部２４によって取得された複数の計測情報には、計測情報ＥＳＭすなわち第１計測情報ＥＳＭ、および第１計測情報より優先度の低い計測情報ＥＣＢすなわち第２計測情報ＥＣＢが含まれる。
【０１６９】
選択部２３は、たとえば、対象期間において第１計測情報ＥＳＭが受信されなかった場合、当該対象期間において受信された第２計測情報ＥＣＢの中から対象計測情報ＴＥを選択する。
【０１７０】
具体的には、選択部２３は、たとえば、対象期間Ｔ３において優先度が１の計測情報すなわちスマートメータ１１１Ａからの計測情報ＥＳＭが受信されなかった場合、対象期間Ｔ３において受信された優先度が２の計測情報すなわち分電盤１１１Ｂからの計測情報ＥＣＢの中から対象計測情報ＴＥを選択する。
【０１７１】
より詳細には、選択部２３は、たとえば、積算値データテーブルＥｔｂｌにおけるデータ番号５９，６０に対応する計測情報を対象期間Ｔ３における候補計測情報ＣＥＴ３として特定する。
【０１７２】
そして、選択部２３は、たとえば、候補計測情報ＣＥＴ３において条件Ｃ４を満たす計測情報であるデータ番号６０に対応する計測情報を対象計測情報ＴＥとして選択する。
【０１７３】
選択部２３は、たとえば、対象期間において第１計測情報ＥＳＭが受信されなかった場合、対象期間において受信された第２計測情報ＥＣＢに含まれる計測値の積算値が、第１計測情報ＥＳＭに含まれる計測値の積算値として他の装置において処理可能となるような補正を行い、当該補正が行われた後の計測値の積算値を含む第２計測情報ＥＣＢすなわち対象計測情報ＴＥを選択する。
【０１７４】
具体的には、選択部２３は、たとえば、データ番号６０に対応する対象計測情報ＴＥに含まれる施設消費電力の積算値を、優先度の高い、スマートメータ１１１Ａからの計測情報に含まれる施設消費電力の積算値としてサーバ１５１において処理可能となるような補正を行う。補正の詳細については後述する。
【０１７５】
選択部２３は、たとえば、補正が行われた後の施設消費電力の積算値を含む対象計測情報ＴＥを送信部２２へ出力する。
【０１７６】
また、選択部２３は、たとえば、対象期間Ｔ４が満了したタイミングにおいて、条件Ｃ２，Ｃ３を満たす計測情報として、積算値データテーブルＥｔｂｌにおけるデータ番号６１，６３，６４に対応する計測情報を対象期間Ｔ４における候補計測情報ＣＥＴ４として特定する。
【０１７７】
そして、選択部２３は、たとえば、候補計測情報ＣＥＴ４において条件Ｃ４を満たす計測情報であるデータ番号６４に対応する計測情報を対象計測情報ＴＥとして選択し、選択した対象計測情報ＴＥを送信部２２へ出力する。
【０１７８】
［エアコンの消費電流の選択］
選択部２３は、たとえば、上述の条件Ｃ２，Ｃ３を用いて、電流値データテーブルＩｔｂｌにおける各計測情報の中から選択の候補とすべき候補計測情報を特定する。
【０１７９】
選択部２３は、たとえば、対象期間Ｔ１が満了したタイミングにおいて、条件Ｃ２，Ｃ３を満たす、電流値データテーブルＩｔｂｌにおける計測情報を対象期間Ｔ１における候補計測情報ＣＩＴ１として特定する。
【０１８０】
選択部２３は、たとえば、上述の条件Ｃ４を用いて、特定した候補計測情報ＣＩＴ１の中から対象計測情報ＴＩを選択し、選択した対象計測情報ＴＩを送信部２２へ出力する。
【０１８１】
選択部２３は、たとえば、対象期間Ｔ２、Ｔ３またはＴ４が満了したタイミングにおいても、同様に対象計測情報ＴＩを選択し、選択した対象計測情報ＴＩを送信部２２へ出力する。
【０１８２】
［計測情報に含まれる計測値または計測値の積算値の補正］
選択部２３は、たとえば、テーブル保持部２９が保持する優先度テーブルを参照することにより、送信機器のＩＤを複数含む優先度テーブルに対応する計測情報に含まれる計測値または計測値の積算値について、補正を行う場合があることを認識する。
【０１８３】
具体的には、選択部２３は、たとえば、図３に示す優先度テーブルＣｔｂｌ１を参照することにより、優先度テーブルＣｔｂｌ１にはスマートメータ１１１ＡのＩＤおよび分電盤１１１ＢのＩＤが含まれているため、スマートメータ１１１Ａから受信する計測情報ＰＳＭに含まれる施設消費電力の瞬時値、および分電盤１１１Ｂから受信する計測情報ＰＣＢに含まれる施設消費電力の瞬時値のいずれか一方の補正を行う場合があることを認識する。この認識を受けて、選択部２３は、後述する同時瞬時値の取得を行う。
【０１８４】
より詳細には、選択部２３は、たとえば、分電盤１１１ＢのＩＤに対応する優先度が、スマートメータ１１１ＡのＩＤに対応する優先度と比べて低いため、分電盤１１１Ｂから受信する計測情報ＰＣＢに含まれる施設消費電力の瞬時値の補正を行う場合があることを認識する。
【０１８５】
また、選択部２３は、たとえば、図４に示す優先度テーブルＣｔｂｌ２を参照することにより、優先度テーブルＣｔｂｌ２にはスマートメータ１１１ＡのＩＤおよび分電盤１１１ＢのＩＤが含まれているため、スマートメータ１１１Ａから受信する計測情報ＥＳＭに含まれる施設消費電力の積算値、および分電盤１１１Ｂから受信する計測情報ＥＣＢに含まれる施設消費電力の積算値のいずれか一方の補正を行う場合があることを認識する。この認識を受けて、選択部２３は、後述する同時積算値の取得を行う。
【０１８６】
より詳細には、選択部２３は、たとえば、分電盤１１１ＢのＩＤに対応する優先度が、スマートメータ１１１ＡのＩＤに対応する優先度と比べて低いため、分電盤１１１Ｂから受信する計測情報ＥＣＢに含まれる施設消費電力の積算値の補正を行う場合があることを認識する。
【０１８７】
［施設消費電力の瞬時値の補正］
選択部２３は、たとえば、複数の機器１１１から同じ時期に送信された各計測情報間の関係に基づいて上記補正を行う。
【０１８８】
具体的には、選択部２３は、たとえば、複数の機器１１１から同じ時期に送信された各計測情報間の関係に基づいて、当該補正を行うための補正式ＣＦＰを作成する。そして、選択部２３は、たとえば、作成した補正式ＣＦＰを用いて施設消費電力の瞬時値を補正する。
【０１８９】
より詳細には、選択部２３は、たとえば、略同じタイミングで、スマートメータ１１１Ａにおいて計測された施設消費電力の瞬時値（以下、同時瞬時値ＳｐｖＳＭとも称する。）、および分電盤１１１Ｂおいて計測された施設消費電力の瞬時値（以下、同時瞬時値ＳｐｖＣＢとも称する。）間の関係に基づいて補正式ＣＦＰを作成する。
【０１９０】
選択部２３は、作成した補正式ＣＦＰを用いて、計測情報ＰＣＢに含まれる施設消費電力の補正対象の瞬時値（以下、対象瞬時値とも称する。）を補正する。
【０１９１】
［同時瞬時値の取得］
たとえば、選択部２３は、所定時間ごと、具体的には２４時間ごとに同時瞬時値ＳｐｖＳＭおよびＳｐｖＣＢを取得し、取得した同時瞬時値ＳｐｖＳＭおよびＳｐｖＣＢを用いて補正式ＣＦＰを作成する。この際、選択部２３は、たとえば、以下の処理を行うことにより、同時瞬時値ＳｐｖＳＭおよびＳｐｖＣＢを取得する。
【０１９２】
すなわち、選択部２３は、たとえば、カウンタ２８のカウント値を参照し、所定時間ごと、具体的には２４時間ごとに、スマートメータ１１１Ａ宛の瞬時値計測要求、および分電盤１１１Ｂ宛の瞬時値計測要求を作成する。
【０１９３】
そして、選択部２３は、作成したスマートメータ１１１Ａ宛の瞬時値計測要求、および分電盤１１１Ｂ宛の瞬時値計測要求を略同じタイミングでスマートメータ１１１Ａおよび分電盤１１１Ｂへそれぞれ送信部２２経由で送信する。
【０１９４】
スマートメータ１１１Ａは、たとえば、計測情報処理装置１０１からＬＡＮ１０経由で受信する瞬時値計測要求に従って、施設消費電力の瞬時値を計測し、計測結果を含む計測情報ＰＳＭをＥＣＨＯＮＥＴＬｉｔｅ規格に従ってＬＡＮ１０経由で計測情報処理装置１０１へ送信する。
【０１９５】
分電盤１１１Ｂは、たとえば、計測情報処理装置１０１からＬＡＮ１０経由で受信する瞬時値計測要求に従って、施設消費電力の瞬時値を計測し、計測結果を含む計測情報ＰＣＢをＥＣＨＯＮＥＴＬｉｔｅ規格に従ってＬＡＮ１０経由で計測情報処理装置１０１へ送信する。
【０１９６】
受信部２１により受信された計測情報ＰＳＭおよび計測情報ＰＣＢにそれぞれ含まれる同時瞬時値ＳｐｖＳＭおよびＳｐｖＣＢは、取得部２４により瞬時値データテーブルＰｔｂｌに追加される。
【０１９７】
選択部２３は、瞬時値データテーブルＰｔｂｌに追加された同時瞬時値ＳｐｖＳＭおよびＳｐｖＣＢを取得する。
【０１９８】
選択部２３は、たとえば、同時瞬時値ＳｐｖＳＭを同時瞬時値ＳｐｖＣＢで除することにより係数αを算出し、補正式ＣＦＰとして、ｙ＝α×ｘを作成する。
【０１９９】
具体的には、たとえば、同時瞬時値ＳｐｖＳＭおよびＳｐｖＣＢがそれぞれ３００Ｗおよび３１５Ｗである場合、α＝３００／３１３＝０．９６となるので、選択部２３は、補正式ＣＦＰとしてｙ＝０．９６×ｘを作成する。
【０２００】
たとえば、選択部２３は、補正式ＣＦＰにおけるｘに対象瞬時値を代入することにより、補正後の対象瞬時値であるｙを算出する。ここで、ｙは、スマートメータ１１１Ａからの計測情報に含まれる施設消費電力の瞬時値としてサーバ１５１において処理可能な値である。
【０２０１】
なお、選択部２３は、過去の複数のタイミングにおける同時瞬時値ＳｐｖＳＭおよび同時瞬時値ＳｐｖＣＢに基づいて誤差解析を行うことにより、精度がより高い補正式ＣＦＰを作成してもよい。
【０２０２】
具体的には、選択部２３は、たとえば、過去の複数のタイミングにおける同時瞬時値ＳｐｖＳＭおよび同時瞬時値ＳｐｖＣＢの各々の平均値を算出し、算出した各同時瞬時値ＳｐｖＳＭの平均値および各同時瞬時値ＳｐｖＣＢの平均値を用いて補正式ＣＦＰを作成する。
【０２０３】
また、選択部２３は、たとえば、スマートメータ１１１Ａおよび分電盤１１１Ｂの少なくともいずれか一方が、受信機能を有しない等の理由のために瞬時値計測要求に従って計測情報を計測情報処理装置１０１へ送信することができない場合、以下の処理を行うことにより補正式ＣＦＰを作成する。
【０２０４】
すなわち、選択部２３は、たとえば、受信時刻の近い、計測情報ＰＳＭに含まれる施設消費電力の瞬時値、および計測情報ＰＣＢに含まれる施設消費電力の瞬時値を用いて補正式ＣＦＰを作成する。
【０２０５】
また、選択部２３は、ある基準時刻を挟んだ２つの受信時刻における施設消費電力の瞬時値に基づいて、当該基準時刻における施設消費電力の瞬時値を補間する。
【０２０６】
具体的には、選択部２３は、たとえば、受信時刻が３月１日２３：３０：００のスマートメータ１１１Ａからの計測情報に含まれる施設消費電力の瞬時値ＳｐｖＡが３００Ｗであり、受信時刻が３月１日２３：２８：００の分電盤１１１Ｂからの計測情報に含まれる施設消費電力の瞬時値が３２０Ｗであり、かつ受信時刻が３月１日２３：３１：００の分電盤１１１Ｂからの計測情報に含まれる施設消費電力の瞬時値が３１０Ｗである場合において、３月１日２３：３０：００が基準時刻であるとき、分電盤１１１Ｂにおける施設消費電力の瞬時値を以下のように補間する。
【０２０７】
すなわち、選択部２３は、たとえば、３月１日２３：２８：００における施設消費電力の瞬時値３２０Ｗ、および３月１日２３：３１：００における施設消費電力の瞬時値３１０Ｗに対して直線補間を行うことにより、基準時刻における施設消費電力の瞬時値ＳｐｖＢとして３１３Ｗを算出する。
【０２０８】
選択部２３は、たとえば、瞬時値ＳｐｖＡ、および補間した瞬時値であるＳｐｖＢを用いて補正式ＣＦＰを作成する。
【０２０９】
なお、選択部２３は、スマートメータ１１１Ａからの計測情報に含まれる施設消費電力の瞬時値を補間してもよい。
【０２１０】
［施設消費電力の積算値の補正］
選択部２３は、たとえば、複数の機器１１１から同じ時期に送信された各計測情報間の関係に基づいて、当該補正を行うための補正式ＣＦＥを作成する。そして、選択部２３は、たとえば、作成した補正式ＣＦＥを用いて施設消費電力の積算値を補正する。
【０２１１】
より詳細には、選択部２３は、たとえば、略同じタイミングで、スマートメータ１１１Ａにおいて計測された施設消費電力の積算値（以下、同時積算値ＳｅｖＳＭとも称する。）、および分電盤１１１Ｂおいて計測された施設消費電力の積算値（以下、同時積算値ＳｅｖＣＢとも称する。）間の関係に基づいて補正式ＣＦＥを作成する。
【０２１２】
選択部２３は、作成した補正式ＣＦＥを用いて、計測情報ＥＣＢに含まれる施設消費電力の補正対象の積算値（以下、対象積算値とも称する。）を補正する。
【０２１３】
［同時積算値の取得］
たとえば、選択部２３は、所定時間ごと、具体的には２４時間ごとに同時積算値ＳｅｖＳＭおよびＳｅｖＣＢを取得し、取得した同時積算値ＳｅｖＳＭおよびＳｅｖＣＢを用いて補正式ＣＦＥを作成する。この際、選択部２３は、たとえば、以下の処理を行うことにより、同時積算値ＳｅｖＳＭおよびＳｅｖＣＢを取得する。
【０２１４】
すなわち、選択部２３は、たとえば、カウンタ２８のカウント値を参照し、所定時間ごと、具体的には２４時間ごとのタイミングにおいてスマートメータ１１１Ａ宛の積算値計測要求、および分電盤１１１Ｂ宛の積算値計測要求を作成する。
【０２１５】
そして、選択部２３は、作成したスマートメータ１１１Ａ宛の積算値計測要求、および分電盤１１１Ｂ宛の積算値計測要求を略同じタイミングでスマートメータ１１１Ａおよび分電盤１１１Ｂへそれぞれ送信部２２経由で送信する。
【０２１６】
スマートメータ１１１Ａは、たとえば、計測情報処理装置１０１から受信する積算値計測要求に従って、施設消費電力の積算値を計測し、計測結果を含む計測情報ＥＳＭをＥＣＨＯＮＥＴＬｉｔｅ規格に従ってＬＡＮ１０経由で計測情報処理装置１０１へ送信する。
【０２１７】
分電盤１１１Ｂは、たとえば、計測情報処理装置１０１から受信する積算値計測要求に従って、施設消費電力の積算値を計測し、計測結果を含む計測情報ＥＣＢをＥＣＨＯＮＥＴＬｉｔｅ規格に従ってＬＡＮ１０経由で計測情報処理装置１０１へ送信する。
【０２１８】
受信部２１により受信された計測情報ＥＳＭおよび計測情報ＥＣＢにそれぞれ含まれる同時積算値ＳｅｖＳＭおよびＳｅｖＣＢは、取得部２４により積算値データテーブルＥｔｂｌに追加される。
【０２１９】
選択部２３は、積算値データテーブルＥｔｂｌに追加された同時積算値ＳｅｖＳＭおよびＳｅｖＣＢを取得する。
【０２２０】
たとえば、スマートメータ１１１Ａを設置したタイミングと分電盤１１１Ｂを設置したタイミングとが異なっていたり、スマートメータ１１１Ａおよび分電盤１１１Ｂ間の精度の差が蓄積したりすることにより、スマートメータ１１１Ａおよび分電盤１１１Ｂにおける施設消費電力の各積算値が大きく異なる場合がある。
【０２２１】
具体的には、たとえば、図８に示す積算値データテーブルＥｔｂｌにおけるデータ番号が５３の施設消費電力の積算値およびデータ番号が５４の施設消費電力の積算値のように、受信時刻が近いにもかかわらずこれらの積算値は大きく異なる。
【０２２２】
このため、選択部２３は、たとえば、絶対誤差による補正式ＣＦＥを作成する。具体的には、選択部２３は、たとえば、同時積算値ＳｅｖＳＭから同時積算値ＳｅｖＣＢを差し引くことによりオフセットβを算出し、補正式ＣＦＥとして、Ｙ＝Ｘ＋βを作成する。
【０２２３】
具体的には、たとえば、同時積算値ＳｅｖＳＭおよびＳｅｖＣＢがそれぞれ１２３０．５ｋＷｈおよび７６０．２ｋＷｈである場合、β＝１２３０．５−７６０．２＝４７０．３となるので、選択部２３は、補正式ＣＦＥとしてＹ＝Ｘ＋４７０．３を作成する。
【０２２４】
たとえば、選択部２３は、補正式ＣＦＥにおけるＸに対象積算値を代入することにより、補正後の対象積算値であるＹを算出する。ここで、Ｙは、スマートメータ１１１Ａからの計測情報に含まれる施設消費電力の積算値としてサーバ１５１において処理可能な値である。
【０２２５】
なお、選択部２３は、過去の複数のタイミングにおける同時積算値ＳｅｖＳＭおよび同時積算値ＳｅｖＣＢに基づいて誤差解析を行うことにより、精度がより高い補正式ＣＦＥを作成してもよい。
【０２２６】
具体的には、選択部２３は、たとえば、過去の複数のタイミングにおける同時積算値ＳｅｖＳＭおよび同時積算値ＳｅｖＣＢの各々の平均値を算出し、算出した各同時積算値ＳｅｖＳＭの平均値および各同時積算値ＳｅｖＣＢの平均値を用いて補正式ＣＦＥを作成する。
【０２２７】
また、選択部２３は、たとえば、スマートメータ１１１Ａおよび分電盤１１１Ｂの少なくともいずれか一方が、受信機能を有しない等の理由のために積算値計測要求に従って計測情報を計測情報処理装置１０１へ送信することができない場合、以下の処理を行うことにより補正式ＣＦＥを作成する。
【０２２８】
すなわち、選択部２３は、たとえば、受信時刻の近い、計測情報ＥＳＭに含まれる施設消費電力の積算値、および計測情報ＥＣＢに含まれる施設消費電力の積算値を用いて補正式ＣＦＥを作成する。
【０２２９】
また、選択部２３は、ある基準時刻を挟んだ２つの受信時刻における施設消費電力の積算値に基づいて、当該基準時刻における施設消費電力の積算値を補間する。
【０２３０】
具体的には、選択部２３は、たとえば、受信時刻が３月１日２３：３０：００のスマートメータ１１１Ａからの計測情報に含まれる施設消費電力の積算ＳｅｖＡが１２４０ｋＷｈであり、受信時刻が３月１日２３：２８：００の分電盤１１１Ｂからの計測情報に含まれる施設消費電力の積算値が７７０ｋＷｈであり、かつ受信時刻が３月１日２３：３１：００の分電盤１１１Ｂからの計測情報に含まれる施設消費電力の積算値が７７１ｋＷｈである場合において、３月１日２３：３０：００が基準時刻であるとき、分電盤１１１Ｂにおける施設消費電力の積算値を以下のように補間する。
【０２３１】
すなわち、選択部２３は、たとえば、３月１日２３：２８：００における施設消費電力の積算値７７０ｋＷｈ、および３月１日２３：３１：００における施設消費電力の積算値７７１ｋＷｈに対して直線補間を行うことにより、基準時刻における施設消費電力の積算値ＳｅｖＢとして７７０．７ｋＷｈを算出する。
【０２３２】
選択部２３は、たとえば、積算値ＳｅｖＡ、および補間した積算値であるＳｅｖＢを用いて補正式ＣＦＥを作成する。
【０２３３】
なお、選択部２３は、スマートメータ１１１Ａからの計測情報に含まれる施設消費電力の積算値を補間してもよい。
【０２３４】
再び図２を参照して、送信部２２は、選択部２３によって選択された計測情報を他の装置に送信する。具体的には、送信部２２は、たとえば、選択部２３から対象計測情報ＴＰ、ＴＥまたはＴＩを受けると、受けた対象計測情報ＴＰ、ＴＥまたはＴＩをインターネット１１経由でサーバ１５１へ送信する。
【０２３５】
サーバ１５１は、計測情報処理装置１０１から対象計測情報ＴＰ、ＴＥまたはＴＩを受信すると、たとえば、対象計測情報ＴＰ、ＴＥまたはＴＩの内容について、統計処理を行ったり、分析処理を行ったりする。
【０２３６】
［サーバ１５１における機器１１１の稼働状況の確認］
送信部２２は、たとえば、所定条件を満たす場合、自己の計測情報処理装置１０１によって受信された複数の計測情報をすべて他の装置、具体的にはサーバ１５１に送信する。
【０２３７】
より詳細には、選択部２３は、たとえば、所定条件として２４時間における４８回の対象期間のうちのいずれか１回の対象期間が満了したタイミングにおいて、データテーブルＤｔｂｌの中から対象計測情報を選択した後、以下の処理を行う。
【０２３８】
すなわち、選択部２３は、たとえば、当該データテーブルＤｔｂｌの中から条件Ｃ３を満たす、優先度が１位から最下位までの最新の計測情報（以下、確認用計測情報とも称する。）を選択する。
【０２３９】
たとえば、当該データテーブルＤｔｂｌにおいて、条件Ｃ３を満たし、かつ優先度が１位から最下位までの最新の計測情報が含まれない場合、選択部２３は、次の対象期間において同様の処理を行う。
【０２４０】
選択部２３は、選択した対象計測情報および確認用計測情報を送信部２２へ出力する。送信部２２は、選択部２３から対象計測情報および確認用計測情報を受けると、受けた対象計測情報および確認用計測情報をインターネット１１経由でサーバ１５１へ送信する。
【０２４１】
サーバ１５１は、計測情報処理装置１０１から対象計測情報および確認用計測情報を受信すると、受信した確認用計測情報の内容に基づいて各機器１１１の稼働状況を確認する。
【０２４２】
［動作］
計測情報処理システムにおける各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０２４３】
図９は、本発明の第１の実施の形態に係る計測情報処理システムにおける、補正式の作成処理のシーケンスの一例を示す図である。
【０２４４】
図９を参照して、まず、計測情報処理装置１０１は、たとえば、所定時間ごと、具体的には２４時間ごとに瞬時値計測要求をスマートメータ１１１Ａおよび分電盤１１１Ｂへ略同じタイミングで送信する（ステップＳ１０２）。
【０２４５】
次に、スマートメータ１１１Ａは、計測情報処理装置１０１から瞬時値計測要求を受信すると、受信した瞬時値計測要求に従って、施設消費電力の瞬時値を計測し、計測結果を含む計測情報ＰＳＭを計測情報処理装置１０１へ送信する（ステップＳ１０４）。
【０２４６】
次に、分電盤１１１Ｂは、計測情報処理装置１０１から瞬時値計測要求を受信すると、受信した瞬時値計測要求に従って、施設消費電力の瞬時値を計測し、計測結果を含む計測情報ＰＣＢを計測情報処理装置１０１へ送信する（ステップＳ１０６）。
【０２４７】
次に、計測情報処理装置１０１は、スマートメータ１１１Ａおよび分電盤１１１Ｂから計測情報ＰＳＭおよびＰＣＢをそれぞれ受信すると、受信した計測情報ＰＳＭおよびＰＣＢから同時瞬時値ＳｐｖＳＭおよびＳｐｖＣＢを取得し、取得した同時瞬時値ＳｐｖＳＭおよびＳｐｖＣＢ間の関係に基づいて補正式ＣＦＰを作成する（ステップＳ１０８）。
【０２４８】
次に、計測情報処理装置１０１は、たとえば、所定時間ごと、具体的には２４時間ごとに積算値計測要求をスマートメータ１１１Ａおよび分電盤１１１Ｂへ略同じタイミングで送信する（ステップＳ１１０）。
【０２４９】
次に、スマートメータ１１１Ａは、計測情報処理装置１０１から積算値計測要求を受信すると、受信した積算値計測要求に従って、施設消費電力の積算値を計測し、計測結果を含む計測情報ＥＳＭを計測情報処理装置１０１へ送信する（ステップＳ１１２）。
【０２５０】
次に、分電盤１１１Ｂは、計測情報処理装置１０１から積算値計測要求を受信すると、受信した積算値計測要求に従って、施設消費電力の積算値を計測し、計測結果を含む計測情報ＥＣＢを計測情報処理装置１０１へ送信する（ステップＳ１１４）。
【０２５１】
次に、計測情報処理装置１０１は、スマートメータ１１１Ａおよび分電盤１１１Ｂから計測情報ＥＳＭおよびＥＣＢをそれぞれ受信すると、受信した計測情報ＥＳＭおよびＥＣＢから同時積算値ＳｅｖＳＭおよびＳｅｖＣＢを取得し、取得した同時積算値ＳｅｖＳＭおよびＳｅｖＣＢ間の関係に基づいて補正式ＣＦＥを作成する（ステップＳ１１６）。
【０２５２】
なお、上記ステップＳ１０２〜Ｓ１０８と、ステップＳ１１０〜Ｓ１１６との順番は、上記に限らず、順番を入れ替えてもよい。
【０２５３】
また、上記ステップＳ１０４，Ｓ１０６の順番は、上記に限らず、順番を入れ替えてもよい。
【０２５４】
また、上記ステップＳ１１２，Ｓ１１４の順番は、上記に限らず、順番を入れ替えてもよい。
【０２５５】
図１０は、本発明の第１の実施の形態に係る計測情報処理システムにおける、計測情報の選択処理のシーケンスの一例を示す図である。
【０２５６】
図１０を参照して、まず、対象期間Ｔｍが開始される（ステップＳ２０２）。
【０２５７】
次に、スマートメータ１１１Ａは、たとえば定期的に施設消費電力の瞬時値および積算値を計測し、計測結果をそれぞれ含む計測情報ＰＳＭ，ＥＳＭを計測情報処理装置１０１へ送信する。
【０２５８】
計測情報処理装置１０１は、スマートメータ１１１Ａから計測情報ＰＳＭ，ＥＳＭを受信すると、図３に示す優先度テーブルＣｔｂｌ１に基づいて計測情報ＰＳＭを瞬時値データテーブルＰｔｂｌに追加する。また、計測情報処理装置１０１は、図４に示す優先度テーブルＣｔｂｌ２に基づいて計測情報ＥＳＭを積算値データテーブルＥｔｂｌに追加する（ステップＳ２０４）。
【０２５９】
次に、分電盤１１１Ｂは、たとえば定期的に施設消費電力の瞬時値および積算値を計測し、計測結果をそれぞれ含む計測情報ＰＣＢ，ＥＣＢを計測情報処理装置１０１へ送信する。
【０２６０】
計測情報処理装置１０１は、分電盤１１１Ｂから計測情報ＰＣＢ，ＥＣＢを受信すると、優先度テーブルＣｔｂｌ１に基づいて計測情報ＰＣＢを瞬時値データテーブルＰｔｂｌに追加する。また、計測情報処理装置１０１は、優先度テーブルＣｔｂｌ２に基づいて計測情報ＥＣＢを積算値データテーブルＥｔｂｌに追加する（ステップＳ２０６）。
【０２６１】
次に、エアコン１１１Ｃは、たとえば定期的に自己の消費電流を計測し、計測結果を含む計測情報ＩＡＣを計測情報処理装置１０１へ送信する。
【０２６２】
計測情報処理装置１０１は、エアコン１１１Ｃから計測情報ＩＡＣを受信すると、図５に示す優先度テーブルＣｔｂｌ３に基づいて計測情報ＩＡＣを電流値データテーブルＩｔｂｌに追加する（ステップＳ２０８）。
【０２６３】
ステップＳ２０４〜Ｓ２０８の処理は、対象期間Ｔｍが満了するまで（ステップＳ２１０）、たとえば複数回繰り返される。
【０２６４】
次に、計測情報処理装置１０１は、瞬時値データテーブルＰｔｂｌ、積算値データテーブルＥｔｂｌおよび電流値データテーブルＩｔｂｌの中から、対象計測情報ＴＰ、ＴＥおよびＴＩを所定の条件Ｃ１によりそれぞれ選択する（ステップＳ２１２）。
【０２６５】
次に、計測情報処理装置１０１は、選択した対象計測情報ＴＰ、ＴＥおよびＴＩをサーバ１５１へ送信する（ステップＳ２１４）。
【０２６６】
なお、上記ステップＳ２０４〜Ｓ２０８の順番は、上記に限らず、一部または全部の順番を変更してもよい。
【０２６７】
図１１は、本発明の第１の実施の形態に係る計測情報処理システムにおける、計測情報の選択処理のシーケンスの一例を示す図である。
【０２６８】
図１１を参照して、まず、対象期間Ｔｎが開始される（ステップＳ３０２）。
【０２６９】
次に、スマートメータ１１１Ａは、たとえば定期的に施設消費電力の瞬時値および積算値を計測し、計測結果をそれぞれ含む計測情報ＰＳＭ，ＥＳＭを計測情報処理装置１０１へ送信する。しかしながら、ここでは、計測情報処理装置１０１は、たとえば通信障害が発生したことにより、計測情報ＰＳＭ，ＥＳＭを受信できない（ステップＳ３０４）。
【０２７０】
次に、分電盤１１１Ｂは、たとえば定期的に施設消費電力の瞬時値および積算値を計測し、計測結果をそれぞれ含む計測情報ＰＣＢ，ＥＣＢを計測情報処理装置１０１へ送信する。
【０２７１】
計測情報処理装置１０１は、分電盤１１１Ｂから計測情報ＰＣＢ，ＥＣＢを受信すると、優先度テーブルＣｔｂｌ１に基づいて計測情報ＰＣＢを瞬時値データテーブルＰｔｂｌに追加する。また、計測情報処理装置１０１は、優先度テーブルＣｔｂｌ２に基づいて計測情報ＥＣＢを積算値データテーブルＥｔｂｌに追加する（ステップＳ３０６）。
【０２７２】
次に、エアコン１１１Ｃは、たとえば定期的に自己の消費電流を計測し、計測結果を含む計測情報ＩＡＣを計測情報処理装置１０１へ送信する。
【０２７３】
計測情報処理装置１０１は、エアコン１１１Ｃから計測情報ＩＡＣを受信すると、図５に示す優先度テーブルＣｔｂｌ３に基づいて計測情報ＩＡＣを電流値データテーブルＩｔｂｌに追加する（ステップＳ３０８）。
【０２７４】
ステップＳ３０４〜Ｓ３０８の処理は、対象期間Ｔｎが満了するまで（ステップＳ３１０）、たとえば複数回繰り返される。
【０２７５】
次に、計測情報処理装置１０１は、瞬時値データテーブルＰｔｂｌ、積算値データテーブルＥｔｂｌおよび電流値データテーブルＩｔｂｌの中から、対象計測情報ＴＰ、ＴＥおよびＴＩを所定の条件Ｃ１によりそれぞれ選択する（ステップＳ３１２）。ここでは、計測情報処理装置１０１が対象期間Ｔｎにおいて計測情報ＰＳＭ，ＥＳＭをスマートメータ１１１Ａから受信できなかったため、対象計測情報ＴＰ、ＴＥは、分電盤１１１Ｂからの計測情報すなわち優先度が２の計測情報である。
【０２７６】
次に、計測情報処理装置１０１は、対象計測情報ＴＰについては、優先度が２の計測情報であるため、補正式ＣＦＰを用いて、対象計測情報ＴＰに含まれる施設消費電力の瞬時値を補正する。また、計測情報処理装置１０１は、対象計測情報ＴＥについては、優先度が２の計測情報であるため、補正式ＣＦＥを用いて、対象計測情報ＴＥに含まれる施設消費電力の積算値を補正する（ステップＳ３１４）。
【０２７７】
次に、計測情報処理装置１０１は、選択した対象計測情報ＴＰ、ＴＥおよびＴＩをサーバ１５１へ送信する（ステップＳ３１６）。
【０２７８】
なお、上記ステップＳ３０４〜Ｓ３０８の順番は、上記に限らず、一部または全部の順番を変更してもよい。
【０２７９】
また、本発明の第１の実施の形態に係る計測情報処理装置は、受信部２１と、蓄積部２５とを備える構成であるとしたが、これに限定するものではない。計測情報処理装置１０１は、受信部２１と、蓄積部２５とを備えない構成であってもよい。この場合、受信部２１および蓄積部２５は、計測情報処理装置１０１の外部に設けられる。
【０２８０】
また、本発明の第１の実施の形態に係るサーバの機能の一部または全部が、クラウドコンピューティングによって提供されてもよい。すなわち、本発明の第１の実施の形態に係るサーバが、複数のクラウドサーバ等によって構成されてもよい。
【０２８１】
ところで、たとえば、サーバの管理対象であるＨＥＭＳは、家庭に設けられた複数の機器から電力等の計測結果を示す計測情報を受信し、受信した計測情報を当該サーバへ送信する。サーバは、ＨＥＭＳから受信する計測情報に基づいて、たとえば当該家庭におけるエネルギー管理を行う。
【０２８２】
ここで、サーバは、異なる機器により計測された同じ計測対象についての計測結果を示す計測情報をＨＥＭＳから受信することがある。このような場合、サーバでは、計測情報を用いてエネルギー管理を正しく行うことが困難である。
【０２８３】
より詳細には、たとえば、サーバでは、どの計測情報が重複する内容の計測結果を示すかを判別できないため、エネルギー管理に用いるべき計測情報を正しく選択することができない。このため、サーバでは、計測情報を用いてエネルギー管理を正しく行うことが困難である。
【０２８４】
これに対して、本発明の第１の実施の形態に係る計測情報処理装置では、取得部２４は、計測を行うことが可能な複数の機器１１１からの同じ計測対象についての計測情報を取得する。選択部２３は、取得部２４によって取得された複数の計測情報の中から計測情報を所定の条件Ｃ１により選択する。そして、送信部２２は、選択部２３によって選択された計測情報を他の装置、具体的にはサーバ１５１に送信する。
【０２８５】
このように、複数の機器１１１からの同じ計測対象についての計測情報の中から、所定の条件Ｃ１により計測情報を選択する構成により、たとえば計測対象の重複を排除して計測情報をサーバ１５１へ送信することができる。これにより、サーバ１５１は、異なる機器１１１により計測された同じ計測対象についての計測結果を示す計測情報を受信することを回避することができるので、エネルギー管理を正しく行うことができる。したがって、計測情報を正しく処理することにより、エネルギー管理を良好に行うことができる。
【０２８６】
また、本発明の第１の実施の形態に係る計測情報処理装置では、取得部２４によって取得された複数の計測情報には、優先度がそれぞれ付与されている。そして、所定の条件Ｃ１は、優先度に関する条件Ｃ２を含む。
【０２８７】
このような構成により、サーバ１５１での処理に適する計測情報に対して高い優先度を設定し、当該計測情報を優先的にサーバ１５１へ送信することができる。
【０２８８】
また、本発明の第１の実施の形態に係る計測情報処理装置では、所定の条件Ｃ１は、計測情報の受信時刻に関する条件Ｃ３，Ｃ４を含む。
【０２８９】
このような構成により、たとえばサーバ１５１での処理に適する受信時刻の計測情報が選択されるような条件Ｃ３，Ｃ４を設定することができるので、サーバ１５１は、当該計測情報に基づいてエネルギー管理をより良好に行うことができる。
【０２９０】
また、本発明の第１の実施の形態に係る計測情報処理装置では、同じ機器１１１から計測情報が定期的に送信される。そして、選択部２３は、対象期間において計測情報処理装置１０１によって受信された各機器１１１の計測情報の中から対象計測情報を選択する。
【０２９１】
このような構成により、たとえば対象期間をサーバ１５１での処理に適する期間に設定することができるので、サーバ１５１は、計測情報処理装置１０１から受信する計測情報に基づいてエネルギー管理をより良好に行うことができる。
【０２９２】
また、本発明の第１の実施の形態に係る計測情報処理装置では、取得部２４によって取得された複数の計測情報には、少なくとも、第１計測情報、および第１計測情報より優先度の低い第２計測情報が含まれる。そして、選択部２３は、対象期間において第１計測情報が受信されなかった場合、当該対象期間において受信された第２計測情報を選択する。
【０２９３】
このような構成により、対象期間において優先度のより高い第１計測情報が計測情報処理装置１０１により受信されなかった場合においても、サーバ１５１は、当該対象期間における第２計測情報をバックアップとして計測情報処理装置１０１から受信することができる。
【０２９４】
また、本発明の第１の実施の形態に係る計測情報処理装置では、取得部２４によって取得された複数の計測情報には、少なくとも、第１計測情報、および第１計測情報より優先度の低い第２計測情報が含まれる。そして、選択部２３は、対象期間において第１計測情報が受信されなかった場合、当該対象期間において受信された第２計測情報が第１計測情報として処理可能となるような補正を行い、当該補正が行われた後の第２計測情報を選択する。
【０２９５】
このような構成により、サーバ１５１がバックアップとして受信する計測情報の有用性を高めることができる。
【０２９６】
また、本発明の第１の実施の形態に係る計測情報処理装置では、選択部２３は、複数の機器１１１から同じ時期に送信された各計測情報間の関係に基づいて上記補正を行う。
【０２９７】
このように、同じ計測対象を同じ時期に計測した結果を示す各計測情報間の関係に基づいて補正を行う構成により、補正の精度を高めることができるので、第２計測情報の示す計測結果を、優先度のより高い第１計測情報の示す計測結果により近づけることができる。
【０２９８】
また、本発明の第１の実施の形態に係る計測情報処理装置では、計測情報は、計測値の積算値を含む。
【０２９９】
このような構成により、たとえば複数の機器１１１における計測値の積算の起算タイミングが異なるために機器１１１間で積算値が大きく異なる場合においても、積算値の補正を行うことで、サーバ１５１がバックアップとして受信する計測情報の有用性をより高めることができる。
【０３００】
また、本発明の第１の実施の形態に係る計測情報処理装置では、計測情報は、機器１１１の識別情報および計測対象の識別情報を含む。
【０３０１】
このような構成により、計測情報を処理する装置において、当該計測情報の元となる計測を行った機器１１１、および計測対象の内容を容易に認識することができる。
【０３０２】
また、本発明の第１の実施の形態に係る計測情報処理装置では、送信部２２は、所定条件を満たす場合、計測情報処理装置１０１において受信された複数の計測情報をすべて他の装置、具体的にはサーバ１５１に送信する。
【０３０３】
このような構成により、サーバ１５１は、計測情報を送信する各機器１１１の稼働状況を容易に確認することができる。
【０３０４】
次に、本発明の他の実施の形態について図面を用いて説明する。なお、図中同一または相当部分には同一符号を付してその説明は繰り返さない。
【０３０５】
＜第２の実施の形態＞
本実施の形態は、第１の実施の形態に係る計測情報処理システムと比べて管理装置において計測情報の選択処理が行われる計測情報処理システムに関する。以下で説明する内容以外は第１の実施の形態に係る計測情報処理システムと同様である。
【０３０６】
［構成および基本動作］
図１２は、本発明の第２の実施の形態に係る計測情報処理システムの構成を示す図である。
【０３０７】
図１２を参照して、計測情報処理システム３０２は、計測情報処理装置１０２と、複数の機器１１１と、管理装置１５２とを備える。複数の機器１１１は、たとえば、スマートメータ１１１Ａ、分電盤１１１Ｂおよびエアコン１１１Ｃを含む。
【０３０８】
計測情報処理システム３０２におけるスマートメータ１１１Ａ、分電盤１１１およびエアコン１１１Ｃの動作は、図１に示す計測情報処理システム３０１におけるスマートメータ１１１Ａ、分電盤１１１およびエアコン１１１Ｃとそれぞれ同様である。
【０３０９】
図１２では、３つの機器１１１を代表的に示しているが、さらに多数または少数の機器１１１が設けられてもよい。
【０３１０】
［計測情報処理装置の構成］
図１３は、本発明の第２の実施の形態に係る計測情報処理システムにおける計測情報処理装置の構成を示す図である。
【０３１１】
図１３を参照して、計測情報処理装置１０２は、図２に示す計測情報処理装置１０１と比べて、選択部２３、取得部２４および蓄積部２５の代わりに、情報処理部３１を備える。
【０３１２】
計測情報処理装置１０２における受信部２１、送信部２２、内容変更部２６、受付部２７、カウンタ２８および表示部３０の動作は、図２に示す計測情報処理装置１０１における受信部２１、送信部２２、内容変更部２６、受付部２７、カウンタ２８および表示部３０とそれぞれ同様である。
【０３１３】
受信部２１は、たとえば、ＬＡＮ１０経由でスマートメータ１１１Ａから計測情報ＥＳＭを受信すると、計測情報ＥＳＭの受信時刻としてカウンタ２８からカウント値を取得する。
【０３１４】
受信部２１は、受信した計測情報ＥＳＭに、取得した計測情報ＥＳＭの受信時刻を含めた後、計測情報ＥＳＭを送信部２２へ出力する。受信部２１は、計測情報ＥＳＭ以外の計測情報についても計測情報ＥＳＭと同様に処理する。
【０３１５】
送信部２２は、受信部２１によって受信された計測情報を管理装置１５２へ送信する。より詳細には、送信部２２は、たとえば、受信部２１から計測情報ＰＳＭ，ＥＳＭ，ＰＣＢ，ＥＣＢ，ＩＡＣ等を受けると、受けた計測情報ＰＳＭ，ＥＳＭ，ＰＣＢ，ＥＣＢ，ＩＡＣ等をインターネット１１経由で管理装置１５２へ送信する。
【０３１６】
［優先度テーブル］
テーブル保持部２９は、たとえば、計測情報の識別情報と当該計測情報の計測対象との対応関係を示す対応情報として、図３、図４および図５にそれぞれ示す優先度テーブルＣｔｂｌ１、Ｃｔｂｌ２およびＣｔｂｌ３を保持する。
【０３１７】
優先度テーブルＣｔｂｌ１、Ｃｔｂｌ２およびＣｔｂｌ３は、たとえば、管理装置１５２において、計測情報処理装置１０２から送信される各計測情報のうち、重複する内容を含む計測情報を認識するために用いられる。
【０３１８】
情報処理部３１は、たとえば、優先度テーブルＣｔｂｌ１、Ｃｔｂｌ２およびＣｔｂｌ３の少なくともいずれか１つの内容が変更されたタイミングにおいて、テーブル保持部２９から優先度テーブルＣｔｂｌ１、Ｃｔｂｌ２およびＣｔｂｌ３を取得する。
【０３１９】
情報処理部３１は、たとえば、取得した優先度テーブルＣｔｂｌ１、Ｃｔｂｌ２およびＣｔｂｌ３を含む対応情報を作成し、作成した対応情報を送信部２２へ出力する。
【０３２０】
なお、情報処理部３１は、たとえば、カウンタ２８のカウント値を参照し、２４時間ごとの所定のタイミングにおいて対応情報を作成して送信部２２へ出力してもよい。
【０３２１】
送信部２２は、情報処理部３１から対応情報を受けると、受けた対応情報をインターネット１１経由で管理装置１５２へ送信する。
【０３２２】
［計測要求］
たとえば、情報処理部３１は、カウンタ２８のカウント値を参照し、２４時間ごとの所定タイミングにおいてスマートメータ１１１Ａ宛の瞬時値計測要求、および分電盤１１１Ｂ宛の瞬時値計測要求を作成する。
【０３２３】
そして、情報処理部３１は、作成したスマートメータ１１１Ａ宛の瞬時値計測要求、および分電盤１１１Ｂ宛の瞬時値計測要求を略同じタイミングでスマートメータ１１１Ａおよび分電盤１１１Ｂへ送信部２２経由でそれぞれ送信する。
【０３２４】
スマートメータ１１１Ａは、たとえば、計測情報処理装置１０２からＬＡＮ１０経由で受信する瞬時値計測要求に従って、施設消費電力の瞬時値を計測し、計測結果を含む計測情報ＰＳＭをＥＣＨＯＮＥＴＬｉｔｅ規格に従ってＬＡＮ１０経由で計測情報処理装置１０２へ送信する。
【０３２５】
分電盤１１１Ｂは、たとえば、計測情報処理装置１０２からＬＡＮ１０経由で受信する瞬時値計測要求に従って、施設消費電力の瞬時値を計測し、計測結果を含む計測情報ＰＣＢをＥＣＨＯＮＥＴＬｉｔｅ規格に従ってＬＡＮ１０経由で計測情報処理装置１０２へ送信する。
【０３２６】
受信部２１は、計測情報ＰＳＭおよび計測情報ＰＣＢをスマートメータ１１１Ａおよび分電盤１１１Ｂからそれぞれ受信すると、受信した計測情報ＰＳＭおよび計測情報ＰＣＢに各々の受信時刻を含めた後、計測情報ＰＳＭ（以下、補正用計測情報ＰＳＭとも称する。）および計測情報ＰＣＢ（以下、補正用計測情報ＰＣＢとも称する。）を送信部２２へ出力する。
【０３２７】
送信部２２は、受信部２１から補正用計測情報ＰＳＭおよび補正用計測情報ＰＣＢを受けると、受けた補正用計測情報ＰＳＭおよび補正用計測情報ＰＣＢをインターネット１１経由で管理装置１５２へ送信する。
【０３２８】
また、情報処理部３１は、カウンタ２８のカウント値を参照し、たとえば、２４時間ごとの所定タイミングにおいてスマートメータ１１１Ａ宛の積算値計測要求、および分電盤１１１Ｂ宛の積算値計測要求を作成する。
【０３２９】
そして、情報処理部３１は、作成したスマートメータ１１１Ａ宛の積算値計測要求、および分電盤１１１Ｂ宛の積算値計測要求を略同じタイミングでスマートメータ１１１Ａおよび分電盤１１１Ｂへ送信部２２経由でそれぞれ送信する。
【０３３０】
スマートメータ１１１Ａは、たとえば、計測情報処理装置１０２から受信する積算値計測要求に従って、施設消費電力の積算値を計測し、計測結果を含む計測情報ＥＳＭをＥＣＨＯＮＥＴＬｉｔｅ規格に従ってＬＡＮ１０経由で計測情報処理装置１０２へ送信する。
【０３３１】
分電盤１１１Ｂは、たとえば、計測情報処理装置１０２から受信する積算値計測要求に従って、施設消費電力の積算値を計測し、計測結果を含む計測情報ＥＣＢをＥＣＨＯＮＥＴＬｉｔｅ規格に従ってＬＡＮ１０経由で計測情報処理装置１０２へ送信する。
【０３３２】
受信部２１は、計測情報ＥＳＭおよび計測情報ＥＣＢをスマートメータ１１１Ａおよび分電盤１１１Ｂからそれぞれ受信すると、受信した計測情報ＥＳＭおよび計測情報ＥＣＢに各々の受信時刻を含めた後、計測情報ＥＳＭ（以下、補正用計測情報ＥＳＭとも称する。）および計測情報ＥＣＢ（以下、補正用計測情報ＥＣＢとも称する。）を送信部２２へ出力する。
【０３３３】
送信部２２は、受信部２１から補正用計測情報ＥＳＭおよび補正用計測情報ＥＣＢを受けると、受けた補正用計測情報ＥＳＭおよび補正用計測情報ＥＣＢをインターネット１１経由で管理装置１５２へ送信する。
【０３３４】
［管理装置の構成］
図１４は、本発明の第２の実施の形態に係る計測情報処理システムにおける管理装置の構成を示す図である。
【０３３５】
図１４を参照して、管理装置１５２は、受信部（取得部）５１と、選択部５３と、分類部５４と、蓄積部５５と、カウンタ５８と、テーブル保持部５９と、処理部６１とを備える。
【０３３６】
管理装置１５２における選択部５３、蓄積部５５、カウンタ５８およびテーブル保持部５９の動作は、図２に示す計測情報処理装置１０１における選択部２３、蓄積部２５、カウンタ２８およびテーブル保持部２９とそれぞれ同様である。
【０３３７】
テーブル保持部２９は、たとえば、「主幹電力（買電方向）瞬時値」の計測対象に対応する、図７に示す瞬時値データテーブルＰｔｂｌ、「主幹電力量（買電方向）積算値」の計測対象に対応する、図８に示す積算値データテーブルＥｔｂｌ、および「エアコン消費電流」の計測対象に対応する、図示しない電流値データテーブルＩｔｂｌを保持する。
【０３３８】
［受信処理］
受信部５１は、複数の機器１１１から取得された計測情報、および計測情報の識別情報と当該計測情報の計測対象との対応関係を示す対応情報を取得する。
【０３３９】
具体的には、受信部５１は、たとえば、計測情報処理装置１０２から計測情報ＰＳＭ，ＥＳＭ，ＰＣＢ，ＥＣＢ，ＩＡＣ等を受信すると、受信した計測情報ＰＳＭ，ＥＳＭ，ＰＣＢ，ＥＣＢ，ＩＡＣ等を蓄積部５５に蓄積する。
【０３４０】
また、受信部５１は、たとえば、計測情報処理装置１０２から対応情報を受信すると、受信した対応情報から優先度テーブルＣｔｂｌ１、Ｃｔｂｌ２およびＣｔｂｌ３を取得し、取得した優先度テーブルＣｔｂｌ１、Ｃｔｂｌ２およびＣｔｂｌ３をテーブル保持部５９に保存する。
【０３４１】
また、受信部５１は、たとえば、計測情報処理装置１０２から補正用計測情報ＰＳＭ、ＰＣＢ、ＥＳＭおよびＥＣＢを受信すると、受信した補正用計測情報ＰＳＭ、ＰＣＢ、ＥＳＭおよびＥＣＢを選択部５３へ出力する。
【０３４２】
［分類処理］
分類部５４は、受信部２１によって取得された対応情報に基づいて、受信部２１によって取得された各計測情報を計測対象で分類する。
【０３４３】
具体的には、分類部５４は、たとえば、テーブル保持部２９が保持している優先度テーブルＣｔｂｌ１、Ｃｔｂｌ２およびＣｔｂｌ３に基づいて、蓄積部５５に蓄積された各計測情報を、「主幹電力（買電方向）瞬時値」の計測対象、「主幹電力量（買電方向）積算値」の計測対象、および「エアコン消費電流」の計測対象でそれぞれ分類する。
【０３４４】
より詳細には、分類部５４は、たとえば、図３に示す優先度テーブルＣｔｂｌ１に基づいて、スマートメータ１１１Ａまたは分電盤１１１Ｂから送信された、計測対象として「主幹電力（買電方向）瞬時値」の計測結果を示す計測情報を取得する。
【０３４５】
たとえば、分類部５４は、蓄積部５５を監視し、新たに蓄積部５５に蓄積される計測情報がスマートメータ１１１ＡのＩＤ、「低圧スマート電力量メータ」のクラス名および「瞬時電力計測値」のプロパティ名を含む計測情報ＰＳＭである場合、当該計測情報ＰＳＭを取得する。
【０３４６】
そして、分類部５４は、取得した計測情報ＰＳＭに含まれる施設消費電力の瞬時値および受信時刻を瞬時値データテーブルＰｔｂｌにおける「優先度が１の計測情報」の項目に追加する。
【０３４７】
また、たとえば、分類部５４は、蓄積部２５に新たに蓄積される計測情報が分電盤１１１ＢのＩＤ、「分電盤メータリング」のクラス名および「瞬時電力計測値」のプロパティ名を含む計測情報ＰＣＢである場合、当該計測情報ＰＣＢを取得する。
【０３４８】
そして、分類部５４は、取得した計測情報ＰＣＢに含まれる施設消費電力の瞬時値および受信時刻を瞬時値データテーブルＰｔｂｌにおける「優先度が２の計測情報」の項目に追加する。
【０３４９】
また、分類部５４は、たとえば、図４に示す優先度テーブルＣｔｂｌ２に基づいて、スマートメータ１１１Ａまたは分電盤１１１Ｂから送信された、計測対象として「主幹電力量（買電方向）積算値」の計測結果を示す計測情報を取得する。
【０３５０】
たとえば、分類部５４は、蓄積部５５に新たに蓄積される計測情報がスマートメータ１１１ＡのＩＤ、「低圧スマート電力量メータ」のクラス名および「積算電力量計測値（正方向計測値）」のプロパティ名を含む計測情報ＥＳＭである場合、当該計測情報ＥＳＭを取得する。
【０３５１】
そして、分類部５４は、取得した計測情報ＥＳＭに含まれる施設消費電力の積算値および受信時刻を積算値データテーブルＥｔｂｌにおける「優先度が１の計測情報」の項目に追加する。
【０３５２】
また、たとえば、分類部５４は、蓄積部５５に新たに蓄積される計測情報が分電盤１１１ＢのＩＤ、「分電盤メータリング」のクラス名および「積算電力量計測値（正方向）」のプロパティ名を含む計測情報ＥＣＢである場合、当該計測情報ＥＣＢを取得する。
【０３５３】
そして、分類部５４は、取得した計測情報ＥＣＢに含まれる施設消費電力の積算値および受信時刻を積算値データテーブルＥｔｂｌにおける「優先度が２の計測情報」の項目に追加する。
【０３５４】
また、分類部５４は、たとえば、図５に示す優先度テーブルＣｔｂｌ３に基づいて、エアコン１１１Ｃから送信された、計測対象として「エアコン消費電流」の計測結果を示す計測情報を取得する。
【０３５５】
たとえば、分類部５４は、蓄積部５５に新たに蓄積され計測情報がエアコン１１１ＣのＩＤ、「家庭用エアコン」のクラス名および「消費電流計測値」のプロパティ名を含む計測情報ＩＡＣである場合、計測情報ＩＡＣを取得する。
【０３５６】
そして、取得部２４は、取得した計測情報ＩＡＣに含まれる消費電流および受信時刻を電流値データテーブルＩｔｂｌに追加する。
【０３５７】
［選択処理］
選択部５３は、分類部５４によって同じ計測対象であると判断された複数の計測情報の中から対象計測情報を所定の条件Ｃ１により選択する。ここで、条件Ｃ１は、たとえば、優先度に関する条件Ｃ２、および計測情報の受信時刻に関する条件Ｃ３，Ｃ４を含む。
【０３５８】
具体的には、選択部５３は、たとえば、テーブル保持部５９が保持している瞬時値データテーブルＰｔｂｌ、積算値データテーブルＥｔｂｌおよび電流値データテーブルＩｔｂｌの中から対象計測情報ＴＰ、ＴＥおよびＴＩを所定の条件Ｃ１によりそれぞれ選択する。
【０３５９】
たとえば、選択部５３は、３月１日の１６：００〜１６：３０までの対象期間Ｔ１、３月１日の１６：３０〜１７：００までの対象期間Ｔ２、３月１日の１７：００〜１７：３０までの対象期間Ｔ３および３月１日の１７：３０〜１８：００までの対象期間Ｔ４を設定する。
【０３６０】
選択部５３は、たとえば、データテーブルＤｔｂｌごとに、対象期間において計測情報処理装置１０２によって受信された各機器１１１の計測情報の中から対象計測情報を条件Ｃ１により選択する。
【０３６１】
［施設消費電力の瞬時値の選択］
選択部５３は、たとえば、条件Ｃ２，Ｃ３を用いて、図７に示す瞬時値データテーブルＰｔｂｌにおける各計測情報の中から選択の候補とすべき候補計測情報を特定する。ここで、条件Ｃ２は、たとえば優先度が１の計測情報であることである。また、条件Ｃ３は、たとえば計測情報の受信時刻が対象期間に含まれることである。
【０３６２】
選択部５３は、たとえば、対象期間Ｔ１〜Ｔ４がそれぞれ満了したタイミングにおいて、条件Ｃ２，Ｃ３を用いて瞬時値データテーブルＰｔｂｌにおける各計測情報から候補計測情報を特定する。
【０３６３】
そして、選択部５３は、たとえば、条件Ｃ４を用いて、特定した候補計測情報の中から対象計測情報ＴＰを選択し、選択した対象計測情報ＴＰを処理部６１へ出力する。ここで、条件Ｃ４は、たとえば、候補計測情報のうちの最新の計測情報であることである。
【０３６４】
分類部５４によって取得された複数の計測情報には、計測情報ＰＳＭすなわち第１計測情報ＰＳＭ、および第１計測情報より優先度の低い計測情報ＰＣＢすなわち第２計測情報ＰＣＢが含まれる。
【０３６５】
選択部５３は、たとえば、対象期間において第１計測情報ＰＳＭが受信されなかった場合、当該対象期間において受信された第２計測情報ＰＣＢの中から対象計測情報ＴＰを選択する。
【０３６６】
また、選択部５３は、たとえば、対象期間において第１計測情報ＰＳＭが受信されなかった場合、対象期間において受信された第２計測情報ＰＣＢ報に含まれる計測値が、第１計測情報ＰＳＭに含まれる計測値として自己の管理装置１５２において処理可能となるような補正を行い、当該補正が行われた後の計測値を含む第２計測情報ＰＣＢすなわち対象計測情報ＴＰを選択する。
【０３６７】
選択部５３は、たとえば、受信部５１から受ける補正用計測情報ＰＳＭおよびＰＣＢから同時瞬時値ＳｐｖＳＭおよびＳｐｖＣＢをそれぞれ取得し、取得した同時瞬時値ＳｐｖＳＭおよびＳｐｖＣＢを用いて補正式ＣＦＰを作成する。
【０３６８】
選択部５３は、たとえば、作成した補正式ＣＦＰを用いて、計測情報ＰＣＢに含まれる施設消費電力の補正対象の瞬時値すなわち対象瞬時値を補正する。選択部５３は、たとえば、補正後の計測値を含む対象計測情報ＴＰを選択し、選択した対象計測情報ＴＰを処理部６１へ出力する。
【０３６９】
［施設消費電力の積算値の選択］
選択部５３は、たとえば、上述の条件Ｃ２，Ｃ３を用いて、図８に示す積算値データテーブルＥｔｂｌにおける各計測情報の中から選択の候補とすべき候補計測情報を特定する。
【０３７０】
選択部５３は、たとえば、対象期間Ｔ１〜Ｔ４がそれぞれ満了したタイミングにおいて、条件Ｃ２，Ｃ３を用いて積算値データテーブルＥｔｂｌにおける各計測情報から候補計測情報を特定する。
【０３７１】
そして、選択部５３は、たとえば、上述の条件Ｃ４を用いて、特定した候補計測情報の中から対象計測情報ＴＥを選択し、選択した対象計測情報ＴＥを処理部６１へ出力する。
【０３７２】
分類部５４によって取得された複数の計測情報には、計測情報ＥＳＭすなわち第１計測情報ＥＳＭ、および第１計測情報より優先度の低い計測情報ＥＣＢすなわち第２計測情報ＥＣＢが含まれる。
【０３７３】
選択部５３は、たとえば、対象期間において第１計測情報ＥＳＭが受信されなかった場合、当該対象期間において受信された第２計測情報ＥＣＢの中から対象計測情報ＴＥを選択する。
【０３７４】
また、選択部５３は、たとえば、対象期間において第１計測情報ＥＳＭが受信されなかった場合、対象期間において受信された第２計測情報ＥＣＢに含まれる計測値の積算値が、第１計測情報ＥＳＭに含まれる計測値の積算値として自己の管理装置１５２において処理可能となるような補正を行い、当該補正が行われた後の計測値の積算値を含む第２計測情報ＥＣＢすなわち対象計測情報ＴＥを選択する。
【０３７５】
選択部５３は、たとえば、受信部５１から受ける補正用計測情報ＥＳＭおよびＥＣＢから同時積算値ＳｅｖＳＭおよびＳｅｖＣＢをそれぞれ取得し、取得した同時積算値ＳｅｖＳＭおよびＳｅｖＣＢを用いて補正式ＣＦＥを作成する。
【０３７６】
選択部５３は、たとえば、作成した補正式ＣＦＥを用いて、計測情報ＥＣＢに含まれる施設消費電力の補正対象の積算値すなわち対象積算値を補正する。選択部５３は、たとえば、補正後の計測値を含む対象計測情報ＴＥを選択し、選択した対象計測情報ＴＥを処理部６１へ出力する。
【０３７７】
［エアコンの消費電流の選択］
選択部５３は、たとえば、上述の条件Ｃ２，Ｃ３を用いて、電流値データテーブルＩｔｂｌにおける各計測情報の中から選択の候補とすべき候補計測情報を特定する。
【０３７８】
選択部５３は、たとえば、対象期間Ｔ１〜Ｔ４がそれぞれ満了したタイミングにおいて、条件Ｃ２，Ｃ３を用いて電流値データテーブルＩｔｂｌにおける各計測情報から候補計測情報を特定する。
【０３７９】
そして、選択部５３は、たとえば、上述の条件Ｃ４を用いて、特定した候補計測情報の中から対象計測情報ＴＩを選択し、選択した対象計測情報ＴＩを処理部６１へ出力する。
【０３８０】
選択部２３は、たとえば、対象期間Ｔ２、Ｔ３またはＴ４が満了したタイミングにおいても、同様に対象計測情報ＴＩを選択し、選択した対象計測情報ＴＩを送信部２２へ出力する。
【０３８１】
処理部６１は、選択部５３によって選択された対象計測情報ＴＰ，ＴＥ，ＴＩを処理する。具体的には、処理部６１は、たとえば、選択部５３から対象計測情報ＴＰ、ＴＥまたはＴＩを受けると、受けた対象計測情報ＴＰ、ＴＥまたはＴＩの内容について、統計処理を行ったり、分析処理を行ったりする。
【０３８２】
［動作］
図１５は、本発明の第２の実施の形態に係る計測情報処理システムにおける、計測情報の選択処理のシーケンスの一例を示す図である。
【０３８３】
図１５を参照して、まず、計測情報処理装置１０２は、補正用計測情報ＰＳＭ、ＰＣＢ、ＥＳＭおよびＥＣＢを管理装置１５２へ送信する。管理装置１５２は、計測情報処理装置１０２から補正用計測情報ＰＳＭ、ＰＣＢ、ＥＳＭおよびＥＣＢを受信すると、受信した補正用計測情報ＰＳＭ、ＰＣＢ、ＥＳＭおよびＥＣＢに基づいて補正式ＣＦＰ，ＣＦＥを作成する（ステップＳ４０２）。
【０３８４】
次に、計測情報処理装置１０２は、優先度テーブルＣｔｂｌ１、Ｃｔｂｌ２およびＣｔｂｌ３を含む対応情報を作成し、作成した対応情報を管理装置１５２へ送信する（ステップＳ４０４）。
【０３８５】
次に、対象期間Ｔｍが開始される（ステップＳ４０６）。
【０３８６】
次に、スマートメータ１１１Ａは、たとえば定期的に施設消費電力の瞬時値および積算値を計測し、計測結果をそれぞれ含む計測情報ＰＳＭ，ＥＳＭを計測情報処理装置１０２へ送信する（ステップＳ４０８）。
【０３８７】
次に、計測情報処理装置１０２は、スマートメータ１１１Ａから計測情報ＰＳＭ，ＥＳＭを受信すると、受信した計測情報ＰＳＭ，ＥＳＭにそれぞれ受信時刻を含め、受信時刻を含めた計測情報ＰＳＭ，ＥＳＭを管理装置１５２へ送信する（ステップＳ４１０）。
【０３８８】
次に、管理装置１５２は、計測情報ＰＳＭ，ＥＳＭを計測情報処理装置１０２から受信して、対応情報に基づいて、受信した各計測情報ＰＳＭ，ＥＳＭを計測対象で分類する。具体的には、管理装置１５２は、計測情報処理装置１０２から計測情報ＰＳＭ，ＥＳＭを受信すると、図３に示す優先度テーブルＣｔｂｌ１に基づいて計測情報ＰＳＭを瞬時値データテーブルＰｔｂｌに追加し、また、図４に示す優先度テーブルＣｔｂｌ２に基づいて計測情報ＥＳＭを積算値データテーブルＥｔｂｌに追加する（ステップＳ４１１）。
【０３８９】
次に、分電盤１１１Ｂは、たとえば定期的に施設消費電力の瞬時値および積算値を計測し、計測結果をそれぞれ含む計測情報ＰＣＢ，ＥＣＢを計測情報処理装置１０２へ送信する（ステップＳ４１２）。
【０３９０】
次に、計測情報処理装置１０２は、分電盤１１１Ｂから計測情報ＰＣＢ，ＥＣＢを受信すると、受信した計測情報ＰＣＢ，ＥＣＢにそれぞれ受信時刻を含め、受信時刻を含めた計測情報ＰＣＢ，ＥＣＢを管理装置１５２へ送信する（ステップＳ４１４）。
【０３９１】
次に、管理装置１５２は、計測情報ＰＣＢ，ＥＣＢを計測情報処理装置１０２から受信して、対応情報に基づいて、受信した各計測情報ＰＣＢ，ＥＣＢを計測対象で分類する。具体的には、管理装置１５２は、計測情報処理装置１０２から計測情報ＰＣＢ，ＥＣＢを受信すると、優先度テーブルＣｔｂｌ１に基づいて計測情報ＰＣＢを瞬時値データテーブルＰｔｂｌに追加し、また、優先度テーブルＣｔｂｌ２に基づいて計測情報ＥＣＢを積算値データテーブルＥｔｂｌに追加する（ステップＳ４１５）。
【０３９２】
次に、エアコン１１１Ｃは、たとえば定期的に自己の消費電流を計測し、計測結果を含む計測情報ＩＡＣを計測情報処理装置１０２へ送信する（ステップＳ４１６）。
【０３９３】
次に、計測情報処理装置１０２は、エアコン１１１Ｃから計測情報ＩＡＣを受信すると、受信した計測情報ＩＡＣに受信時刻を含め、受信時刻を含めた計測情報ＩＡＣを管理装置１５２へ送信する（ステップＳ４１８）。
【０３９４】
次に、管理装置１５２は、計測情報ＩＡＣを計測情報処理装置１０２から受信して、対応情報に基づいて、受信した各計測情報ＩＡＣを計測対象で分類する。具体的には、管理装置１５２は、計測情報処理装置１０２から計測情報ＩＡＣを受信すると、図５に示す優先度テーブルＣｔｂｌ３に基づいて計測情報ＩＡＣを電流値データテーブルＩｔｂｌに追加する（ステップＳ４１９）。
【０３９５】
ステップＳ４０８〜Ｓ４１９の処理は、対象期間Ｔｍが満了するまで（ステップＳ４２０）、たとえば複数回繰り返される。
【０３９６】
次に、管理装置１５２は、同じ計測対象であると判断した複数の計測情報の中から計測情報を所定の条件Ｃ１により選択する。具体的には、管理装置１５２は、瞬時値データテーブルＰｔｂｌ、積算値データテーブルＥｔｂｌおよび電流値データテーブルＩｔｂｌの中から、対象計測情報ＴＰ、ＴＥおよびＴＩを所定の条件Ｃ１によりそれぞれ選択する（ステップＳ４２２）。
【０３９７】
次に、管理装置１５２は、選択した対象計測情報ＴＰ、ＴＥおよびＴＩを処理する（ステップＳ４２４）。
【０３９８】
なお、上記ステップＳ４０２，４０４の順番は、上記に限らず、順番を入れ替えてもよい。
【０３９９】
また、上記ステップＳ４０８〜Ｓ４１１と、ステップＳ４１２〜Ｓ４１５と、ステップＳ４１６〜Ｓ４１９との順番は、上記に限らず、一部または全部の順番を変更してもよい。
【０４００】
図１６は、本発明の第２の実施の形態に係る計測情報処理システムにおける、計測情報の選択処理のシーケンスの一例を示す図である。
【０４０１】
図１６を参照して、ステップＳ５０２〜Ｓ５０４の動作は、図１５に示すステップＳ４０２〜Ｓ４０４の動作と同様である。
【０４０２】
次に、対象期間Ｔｎが開始される（ステップＳ５０６）。
【０４０３】
次に、スマートメータ１１１Ａは、たとえば定期的に施設消費電力の瞬時値および積算値を計測し、計測結果をそれぞれ含む計測情報ＰＳＭ，ＥＳＭを計測情報処理装置１０２へ送信する。しかしながら、ここでは、計測情報処理装置１０２は、たとえば通信障害が発生したことにより、計測情報ＰＳＭ，ＥＳＭを受信できない（ステップＳ５０８）。
【０４０４】
次に、分電盤１１１Ｂは、たとえば定期的に施設消費電力の瞬時値および積算値を計測し、計測結果をそれぞれ含む計測情報ＰＣＢ，ＥＣＢを計測情報処理装置１０２へ送信する（ステップＳ５１２）。
【０４０５】
次に、計測情報処理装置１０２は、分電盤１１１Ｂから計測情報ＰＣＢ，ＥＣＢを受信すると、受信した計測情報ＰＣＢ，ＥＣＢにそれぞれ受信時刻を含め、受信時刻を含めた計測情報ＰＣＢ，ＥＣＢを管理装置１５２へ送信する（ステップＳ５１４）。
【０４０６】
次に、管理装置１５２は、計測情報ＰＣＢ，ＥＣＢを計測情報処理装置１０２から受信して、対応情報に基づいて、受信した各計測情報ＰＣＢ，ＥＣＢを計測対象で分類する。具体的には、管理装置１５２は、計測情報処理装置１０２から計測情報ＰＣＢ，ＥＣＢを受信すると、図３に示す優先度テーブルＣｔｂｌ１に基づいて計測情報ＰＣＢを瞬時値データテーブルＰｔｂｌに追加し、また、図４に示す優先度テーブルＣｔｂｌ２に基づいて計測情報ＥＣＢを積算値データテーブルＥｔｂｌに追加する（ステップＳ５１５）。
【０４０７】
次に、エアコン１１１Ｃは、たとえば定期的に自己の消費電流を計測し、計測結果を含む計測情報ＩＡＣを計測情報処理装置１０２へ送信する（ステップＳ５１６）。
【０４０８】
次に、計測情報処理装置１０２は、エアコン１１１Ｃから計測情報ＩＡＣを受信すると、受信した計測情報ＩＡＣに受信時刻を含め、受信時刻を含めた計測情報ＩＡＣを管理装置１５２へ送信する（ステップＳ５１８）。
【０４０９】
次に、管理装置１５２は、計測情報ＩＡＣを計測情報処理装置１０２から受信して、対応情報に基づいて、受信した各計測情報ＩＡＣを計測対象で分類する。具体的には、管理装置１５２は、計測情報処理装置１０２から計測情報ＩＡＣを受信すると、図５に示す優先度テーブルＣｔｂｌ３に基づいて計測情報ＩＡＣを電流値データテーブルＩｔｂｌに追加する（ステップＳ５１９）。
【０４１０】
ステップＳ５０８〜Ｓ５１９の処理は、対象期間Ｔｎが満了するまで（ステップＳ５２０）、たとえば複数回繰り返される。
【０４１１】
次に、管理装置１５２は、瞬時値データテーブルＰｔｂｌ、積算値データテーブルＥｔｂｌおよび電流値データテーブルＩｔｂｌの中から、対象計測情報ＴＰ、ＴＥおよびＴＩを所定の条件Ｃ１によりそれぞれ選択する（ステップＳ５２２）。ここでは、計測情報処理装置１０２が対象期間Ｔｎにおいて計測情報ＰＳＭ，ＥＳＭをスマートメータ１１１Ａから受信できなかったため、対象計測情報ＴＰ、ＴＥは、分電盤１１１Ｂからの計測情報すなわち優先度が２の計測情報である。
【０４１２】
次に、管理装置１５２は、対象計測情報ＴＰについては、優先度が２の計測情報であるため、補正式ＣＦＰを用いて、対象計測情報ＴＰに含まれる施設消費電力の瞬時値を補正する。また、管理装置１５２は、対象計測情報ＴＥについては、優先度が２の計測情報であるため、補正式ＣＦＥを用いて、対象計測情報ＴＥに含まれる施設消費電力の積算値を補正する（ステップＳ５２４）。
【０４１３】
次に、管理装置１５２は、選択した対象計測情報ＴＰ、ＴＥおよびＴＩを処理する（ステップＳ５２６）。
【０４１４】
なお、上記ステップＳ５０２，５０４の順番は、上記に限らず、順番を入れ替えてもよい。
【０４１５】
また、上記ステップＳ５０８と、ステップＳ５１２〜Ｓ５１５と、ステップＳ５１６〜Ｓ５１９との順番は、上記に限らず、一部または全部の順番を変更してもよい。
【０４１６】
また、本発明の第２の実施の形態に係る管理装置の機能の一部または全部が、クラウドコンピューティングによって提供されてもよい。すなわち、本発明の第２の実施の形態に係る管理装置が、複数のクラウドサーバ等によって構成されてもよい。
【０４１７】
以上のように、本発明の第２の実施の形態に係る管理装置では、受信部５１は、計測を行うことが可能な複数の機器１１１から取得された計測情報、および計測情報の識別情報と計測情報の計測対象との対応関係を示す対応情報を取得する。分類部５４は、受信部５１によって取得された対応情報に基づいて、受信部５１によって取得された各計測情報を計測対象で分類する。選択部５３は、分類部５４によって同じ計測対象であると判断された複数の計測情報の中から計測情報を所定の条件Ｃ１により選択する。そして、処理部６１は、選択部５３によって選択された計測情報を処理する。
【０４１８】
このように、複数の機器１１１から取得された計測情報のうち、同じ計測対象であると判断した各計測情報の中から、所定の条件Ｃ１により計測情報を選択する構成により、管理装置１５２は、異なる機器１１１により計測された同じ計測対象についての計測結果を示す計測情報を計測情報処理装置１０２から受信する場合においても、たとえば計測対象の重複が排除されるように計測情報を選択することができる。これにより、管理装置１５２は、異なる機器１１１により計測された同じ計測対象についての計測結果を示す計測情報を処理することを回避することができるので、エネルギー管理を正しく行うことができる。したがって、計測情報を正しく処理することにより、エネルギー管理を良好に行うことができる。
【０４１９】
また、本発明の第２の実施の形態に係る管理装置では、受信部５１によって取得された複数の計測情報には、優先度がそれぞれ付与されている。そして、所定の条件Ｃ１は、優先度に関する条件を含む。
【０４２０】
このような構成により、管理装置１５２での処理に適する計測情報に対して高い優先度を設定し、当該機器１１１からの計測情報を優先的に処理することができる。
【０４２１】
また、本発明の第２の実施の形態に係る管理装置では、所定の条件Ｃ１は、計測情報の受信時刻に関する条件Ｃ３，Ｃ４を含む。
【０４２２】
このような構成により、たとえば管理装置１５２での処理に適する受信時刻の計測情報が選択されるような条件Ｃ３，Ｃ４を設定することができるので、管理装置１５２は、当該計測情報に基づいてエネルギー管理をより良好に行うことができる。
【０４２３】
また、本発明の第２の実施の形態に係る管理装置では、同じ機器１１１から計測情報が定期的に送信される。そして、選択部５３は、対象期間において計測情報処理装置１０２によって受信された各機器１１１の計測情報の中から対象計測情報を選択する。
【０４２４】
このような構成により、たとえば対象期間を管理装置１５２での処理に適する期間に設定することができるので、管理装置１５２は、計測情報処理装置１０２から受信する計測情報に基づいてエネルギー管理をより良好に行うことができる。
【０４２５】
また、本発明の第２の実施の形態に係る管理装置では、受信部５１によって取得された複数の計測情報には、少なくとも、第１計測情報、および第１計測情報より優先度の低い第２計測情報が含まれる。そして、選択部５３は、対象期間において第１計測情報が受信されなかった場合、当該対象期間において受信された第２計測情報を選択する。
【０４２６】
このような構成により、対象期間において優先度のより高い第１計測情報が計測情報処理装置１０２により受信されなかった場合においても、管理装置１５２は、当該対象期間における第２計測情報をバックアップとして処理することができる。
【０４２７】
また、本発明の第２の実施の形態に係る管理装置では、受信部５１によって取得された複数の計測情報には、少なくとも、第１計測情報、および第１計測情報より優先度の低い第２計測情報が含まれる。そして、選択部５３は、対象期間において第１計測情報が受信されなかった場合、当該対象期間において受信された第２計測情報が第１計測情報として処理可能となるような補正を行い、当該補正が行われた後の第２計測情報を選択する。
【０４２８】
このような構成により、管理装置１５２がバックアップとして処理する計測情報の有用性を高めることができる。
【０４２９】
また、本発明の第２の実施の形態に係る管理装置では、選択部５３は、複数の機器１１１から同じ時期に送信された各計測情報間の関係に基づいて上記補正を行う。
【０４３０】
このように、同じ計測対象を同じ時期に計測した結果を示す各計測情報間の関係に基づいて補正を行う構成により、補正の精度を高めることができるので、第２計測情報の示す計測結果を、優先度のより高い第１計測情報の示す計測結果により近づけることができる。
【０４３１】
また、本発明の第２の実施の形態に係る管理装置では、計測情報は、計測値の積算値を含む。
【０４３２】
このような構成により、たとえば複数の機器１１１における計測値の積算の起算タイミングが異なるために機器１１１間で積算値が大きく異なる場合においても、積算値の補正を行うことで、管理装置１５２がバックアップとして処理する計測情報の有用性をより高めることができる。
【０４３３】
また、本発明の第２の実施の形態に係る管理装置では、計測情報は、機器１１１の識別情報および計測対象の識別情報を含む。
【０４３４】
このような構成により、計測情報を処理する装置において、当該計測情報の元となる計測を行った機器１１１、および計測対象の内容を容易に認識することができる。
【０４３５】
また、本発明の第２の実施の形態に係る計測情報処理システムでは、計測情報処理装置１０２は、計測を行うことが可能な複数の機器１１１からの同じ計測対象についての計測情報を取得する。計測情報処理装置１０２は、取得した計測情報、および計測情報の識別情報と計測情報の計測対象との対応関係を示す対応情報を管理装置１５２へ送信する。管理装置１５２は、複数の計測情報および対応情報を計測情報処理装置１０２から受信して、受信した対応情報に基づいて、受信した各計測情報を計測対象で分類する。そして、管理装置１５２は、同じ計測対象であると判断した複数の計測情報の中から計測情報を所定の条件Ｃ１により選択する。
【０４３６】
このように、複数の機器１１１からの計測情報のうち、同じ計測対象であると判断した各計測情報の中から、所定の条件Ｃ１により計測情報を選択する構成により、管理装置１５２は、異なる機器１１１により計測された同じ計測対象についての計測結果を示す計測情報を計測情報処理装置１０２から受信する場合においても、たとえば計測対象の重複が排除されるように計測情報を選択することができる。これにより、管理装置１５２は、異なる機器１１１により計測された同じ計測対象についての計測結果を示す計測情報を処理することを回避することができるので、エネルギー管理を正しく行うことができる。したがって、計測情報を正しく処理することにより、エネルギー管理を良好に行うことができる。
【０４３７】
その他の構成および動作は第１の実施の形態に係る計測情報処理システムと同様であるため、ここでは詳細な説明を繰り返さない。
【０４３８】
なお、本発明の第１の実施の形態および第２の実施の形態に係る計測情報処理システムでは、計測情報は、計測値または計測値の積算値、機器１１１の識別情報および計測対象の識別情報を含むとしたが、これに限定するものではない。計測情報は、計測値の積算値を含むか、または、機器１１１の識別情報および計測対象の識別情報を含んでいればよい。
【０４３９】
また、本発明の第１の実施の形態および第２の実施の形態に係る計測情報処理システムでは、計測情報の受信時刻の代わりに、計測時刻を用いる構成であってもよい。より詳細には、計測情報処理装置１０１または１０２における受信部２１が計測情報の受信時刻を当該計測情報に対応付ける代わりに、機器１１１が計測を行ったタイミングを示す計測時刻を、当該計測の結果を示す計測情報に対応付けてもよい。
【０４４０】
また、本発明の第１の実施の形態および第２の実施の形態に係る計測情報処理システムでは、所定の条件Ｃ１は、優先度に関する条件Ｃ２、および計測情報の受信時刻に関する条件Ｃ３，Ｃ４を含むとしたが、これに限定するものではない。所定の条件Ｃ１は、優先度に関する条件を含むか、計測情報の受信時刻または計測時刻に関する条件を含めばよい。
【０４４１】
また、本発明の第１の実施の形態および第２の実施の形態に係る計測情報処理システムでは、同じ機器１１１から計測情報が定期的に送信される構成であるとしたが、これに限定するものではない。計測情報処理システム３０１および３０２では、同じ機器１１１から計測情報が定期的または不定期に送信される、言い換えると、同じ機器１１１から計測情報が繰り返し送信される構成であればよい。
【０４４２】
また、本発明の第１の実施の形態および第２の実施の形態に係る計測情報処理システムでは、取得部２４または分類部５４によって取得される複数の計測情報には、第１計測情報、および第１計測情報より優先度の低い第２計測情報が含まれるとしたが、これに限定するものではない。取得部２４または分類部５４によって取得される複数の計測情報には、第１計測情報および第２計測情報の他に、少なくとも、第２計測情報より優先度の低い第３計測情報が含まれていてもよい。
【０４４３】
また、本発明の第１の実施の形態および第２の実施の形態に係る各装置の構成要素および動作のうち、一部または全部を適宜組み合わせることも可能である。
【０４４４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０４４５】
以上の説明は、以下に付記する特徴を含む。
【０４４６】
［付記１］
計測を行うことが可能な複数の機器からの同じ計測対象についての計測結果を示す計測情報を取得する取得部と、
前記取得部によって取得された複数の前記計測情報の中から計測情報を所定の条件により選択する選択部と、
前記選択部によって選択された前記計測情報を他の装置に送信する送信部とを備え、
前記取得部は、同じ計測対象の前記計測情報として、電力消費施設における消費電力の計測結果を示す計測情報、および当該電力消費施設における消費電力量の計測結果を示す計測情報をスマートメータおよび分電盤から取得し、
前記所定の条件は、第１条件および第２条件を含み、
前記第１条件は、優先度が１の前記計測情報であることであり、
前記第２条件は、前記計測情報の受信時刻が対象期間に含まれることであり、
前記選択部は、前記第１条件および前記第２条件を用いて、同じ計測対象についての計測結果を示す前記計測情報の中から選択の候補とすべき候補計測情報を特定し、
前記所定の条件は、さらに、第３条件を含み、
前記第３条件は、前記候補計測情報のうちの最新の前記計測情報であることであり、
前記選択部は、前記第３条件を用いて、特定した前記候補計測情報の中から対象計測情報を選択し、
前記送信部は、前記選択部によって選択された前記対象計測情報を前記他の装置に送信する、計測情報処理装置。
【０４４７】
［付記２］
計測を行うことが可能な複数の機器から取得された計測情報、および前記計測情報の識別情報と前記計測情報の計測対象との対応関係を示す対応情報を取得する取得部と、
前記取得部によって取得された前記対応情報に基づいて、前記取得部によって取得された各前記計測情報を計測対象で分類する分類部と、
前記分類部によって同じ計測対象であると判断された複数の前記計測情報の中から計測情報を所定の条件により選択する選択部と、
前記選択部によって選択された前記計測情報を処理する処理部とを備え、
前記計測情報の前記識別情報は、ＥＣＨＯＮＥＴＬｉｔｅ規格により規定されるクラス名およびプロパティ名であり、
前記所定の条件は、第１条件および第２条件を含み、
前記第１条件は、優先度が１の前記計測情報であることであり、
前記第２条件は、前記計測情報の取得元の装置における前記計測情報の受信時刻が対象期間に含まれることであり、
前記選択部は、前記第１条件および前記第２条件を用いて、前記分類部によって同じ計測対象であると判断された複数の前記計測情報の中から選択の候補とすべき候補計測情報を特定し、
前記所定の条件は、さらに、第３条件を含み、
前記第３条件は、前記候補計測情報のうちの最新の前記計測情報であることであり、
前記選択部は、前記第３条件を用いて、特定した前記候補計測情報の中から対象計測情報を選択し、
前記処理部は、前記選択部によって選択された前記対象計測情報に基づいて統計処理および分析処理の少なくともいずれか１つを行う、管理装置。
【０４４８】
［付記３］
計測を行うことが可能な複数の機器からの同じ計測対象についての計測結果を示す計測情報を取得する計測情報処理装置と、
管理装置とを備え、
前記計測情報処理装置は、取得した前記計測情報、および前記計測情報の識別情報と前記計測情報の計測対象との対応関係を示す対応情報を前記管理装置へ送信し、
前記管理装置は、複数の前記計測情報および前記対応情報を前記計測情報処理装置から受信して、受信した前記対応情報に基づいて、受信した各前記計測情報を計測対象で分類し、
前記管理装置は、同じ計測対象であると判断した複数の前記計測情報の中から計測情報を所定の条件により選択し、
前記計測情報の前記識別情報は、ＥＣＨＯＮＥＴＬｉｔｅ規格により規定されるクラス名およびプロパティ名であり、
前記所定の条件は、第１条件および第２条件を含み、
前記第１条件は、優先度が１の前記計測情報であることであり、
前記第２条件は、前記計測情報処理装置における前記計測情報の取得時刻が対象期間に含まれることであり、
前記管理装置は、前記第１条件および前記第２条件を用いて、同じ計測対象であると判断した複数の前記計測情報の中から選択の候補とすべき候補計測情報を特定し、
前記所定の条件は、さらに、第３条件を含み、
前記第３条件は、前記候補計測情報のうちの最新の前記計測情報であることであり、
前記管理装置は、前記第３条件を用いて、特定した前記候補計測情報の中から対象計測情報を選択する、計測情報処理システム。
【符号の説明】
【０４４９】
２１  受信部
２２  送信部
２３  選択部
２４  取得部
２５  蓄積部
２６  内容変更部
２７  受付部
２８  カウンタ
２９  テーブル保持部
３０  表示部
３１  情報処理部
５１  受信部（取得部）
５３  選択部
５４  分類部
５５  蓄積部
５８  カウンタ
５９  テーブル保持部
６１  処理部
１０１，１０２  計測情報処理装置
１１１  機器
１１１Ａ  スマートメータ
１１１Ｂ  分電盤
１１１Ｃ  エアコン
１５１  サーバ
１５２  管理装置
３０１，３０２  計測情報処理システム
【図１】
0006666581.tif 000002
【図２】
0006666581.tif 000003
【図３】
0006666581.tif 000004
【図４】
0006666581.tif 000005
【図５】
0006666581.tif 000006
【図６】
0006666581.tif 000007
【図７】
0006666581.tif 000008
【図８】
0006666581.tif 000009
【図９】
0006666581.tif 000010
【図１０】
0006666581.tif 000011
【図１１】
0006666581.tif 000012
【図１２】
0006666581.tif 000013
【図１３】
0006666581.tif 000014
【図１４】
0006666581.tif 000015
【図１５】
0006666581.tif 000016
【図１６】
0006666581.tif 000017